(57)【要約】【課題】多様な支払い方法で機器を利用可能な課金システムを提供すること。【解決手段】認証が成立したユーザによる電子機器の利用料を課金装置が課金する課金システム１であって、前記電子機器１０は、前記電子機器を利用するユーザを検知し、該ユーザを識別するユーザ識別情報を取得する識別情報取得手段４１，４２と、前記ユーザが選択した機能に応じた処理を実行する処理実行手段１７と、前記処理の内容に応じて課金情報を作成し、前記ユーザ識別情報と対応づけて課金情報記憶手段に記憶する課金情報作成手段１９と、を有し、前記課金装置３３は、前記課金情報記憶手段に記憶された前記課金情報を読み出してユーザ別の課金額を算出し、ユーザ情報記憶手段から読み出したユーザ毎に設定されている決済方法で決済する決済手段６３を有する、ことを特徴とする。【選択図】図１
2015139038.tif 000002
【特許請求の範囲】
【請求項１】
認証が成立したユーザによる電子機器の利用料を課金装置が課金する課金システムであって、
前記電子機器は、
前記電子機器を利用するユーザを検知し、該ユーザを識別するユーザ識別情報を取得する識別情報取得手段と、
前記ユーザが選択した機能に応じた処理を実行する処理実行手段と、
前記処理の内容に応じて課金情報を作成し、前記ユーザ識別情報と対応づけて課金情報記憶手段に記憶する課金情報作成手段と、を有し、
前記課金装置は、
前記課金情報記憶手段に記憶された前記課金情報を読み出してユーザ別の課金額を算出し、ユーザ情報記憶手段から読み出したユーザ毎に設定されている決済方法で決済する決済手段を有する、ことを特徴とする課金システム。
【請求項２】
前記課金情報作成手段は、前記課金情報に前記電子機器を識別する電子機器識別情報を含め、
前記課金装置は、
前記課金情報記憶手段に記憶された前記課金情報を読み出して電子機器別の課金額を算出し、配当率を乗じて算出した配当金を、電子機器情報記憶手段から読み出した配当先に配当する配当手段を有する、ことを特徴とする請求項１記載の課金システム。
【請求項３】
前記電子機器は、
ネットワークを介して接続された端末から印刷要求された印刷データを印刷する印刷手段と、
前記印刷手段が出力した印刷物を施錠して保存する排紙トレイと、を有し、
前記識別情報取得手段が検知したユーザの認証が成立した場合、前記処理実行手段は前記排紙トレイを解錠する、ことを特徴とする請求項１又は２記載の課金システム。
【請求項４】
前記排紙トレイに印刷物を排紙したユーザ識別情報を記憶しておき、
前記識別情報取得手段が取得したユーザ識別情報が、記憶されているユーザ識別情報と一致する場合、前記排紙トレイの解錠を受け付けるメニューを表示装置に表示するメニュー表示手段を有する、ことを特徴とする請求項３記載の課金システム。
【請求項５】
前記電子機器から所定距離内のユーザが携帯する通信端末を検知した場合にユーザを検知して、認証が成立すると機能の選択を受け付ける第１の画面を表示装置に表示し、
前記通信端末が検知されなくなった場合、認証が必要である旨の情報を表示する第２の画面を表示装置に表示するメニュー表示手段、
を有することを特徴とする請求項１〜３いずれか１項記載の課金システム。
【請求項６】
ネットワークを介して前記電子機器と通信可能な端末を有し、
前記端末は、前記電子機器の設置場所の位置情報が登録された電子機器情報記憶手段に対し、指定地域を送信することで該指定地域に含まれる前記電子機器の位置情報を取得する位置情報取得手段と、
前記電子機器の位置を地図上に表示する地図表示手段と、
を有することを特徴とする請求項１〜５いずれか１項記載の課金システム。
【請求項７】
前記端末は、
前記地図表示手段が、前記地図上に表示された前記電子機器の選択と印刷要求を受け付けた場合、
ユーザ識別情報が入力されるログイン画面を表示し、ユーザ識別情報と共にユーザの認証を外部装置に要求して認証結果を取得する認証結果取得手段と、
認証が成立した場合、ユーザ識別情報を印刷データが記憶された印刷データ記憶手段に対し送信することで、該ユーザ識別情報に対応づけられた印刷データの一覧を取得して表示するする印刷データ一覧取得手段と、
を有することを特徴とする請求項６記載の課金システム。
【請求項８】
前記端末は、前記印刷データの一覧から選択された印刷データの印刷データ識別情報、及び、前記認証結果取得手段が認証要求に用いたユーザ識別情報を、前記地図上で選択された前記電子機器に送信する印刷要求手段を有し、
前記地図上で選択された前記電子機器は、前記印刷データ記憶手段から前記印刷データ識別情報の印刷データを取得し、印刷する印刷手段を有し、
前記課金情報作成手段が、印刷の内容に応じて前記課金情報を作成し、前記ユーザ識別情報と対応づけて前記課金情報記憶手段に記憶する、
ことを特徴とする請求項７記載の課金システム。
【請求項９】
前記電子機器は、前記印刷手段が印刷を完了した場合、前記印刷要求手段から送信されたユーザ識別情報に対応づけられたメールアドレスを前記ユーザ情報記憶手段から読み出し、印刷完了の旨を情報を電子メールにて送信する、
ことを特徴とする請求項８記載の課金システム。
【請求項１０】
認証が成立したユーザによる電子機器の利用料を課金する課金システムであって、
前記電子機器を利用するユーザを検知し、該ユーザを識別するユーザ識別情報を取得する識別情報取得手段と、
前記ユーザが選択した機能に応じた処理を実行する処理実行手段と、
前記処理の内容に応じて課金情報を作成し、前記ユーザ識別情報と対応づけて課金情報記憶手段に記憶する課金情報作成手段と、
前記課金情報記憶手段に記憶された前記課金情報を読み出してユーザ別の課金額を算出し、ユーザ情報記憶手段から読み出したユーザ毎に設定されている決済方法で決済する決済手段と、を有することを特徴とする課金システム。
【発明の詳細な説明】
【技術分野】
【０００１】
本発明は、認証が成立したユーザによる電子機器の利用料を課金装置が課金する課金システムに関する。
【背景技術】
【０００２】
プリンタの普及に伴い様々な場所にプリンタが設置されるようになった。また、自分のオフィス以外で印刷物を印刷したい場合が少なくない。
【０００３】
しかし、顧客を訪問する場合、訪問先のプリンタを借りて提案資料等を印刷することを躊躇する訪問者は少なくない。印刷料金が訪問先の顧客に発生するためである。また、社内規定などにより印刷の許可を得られない可能性もある。
【０００４】
また、コンビニ等にもプリンタが設置されているが、ユーザはコインラックにコインを投入したり、電子マネーを用意する必要があるため不便である。
【０００５】
そこで、ユーザによる印刷時の料金の支払いを不要にする技術が検討される（例えば、特許文献１参照。）。特許文献１には、プリペイドカードで支払いが可能なパーソナルハガキ発行システムが開示されている。このパーソナルハガキ発行システムは、会員カードに会員ＩＤを記憶しておき、情報端末のリーダライターにより会員カードの会員ＩＤを読み取り、ユーザが入力したハガキのデータを情報センターに送信すると、ハガキ出力端末によりパーソナルハガキを印刷する。
【発明の概要】
【発明が解決しようとする課題】
【０００６】
しかしながら、特許文献１のパーソナルハガキ発行システムでは、料金の支払いをプリペイドカードで行うため、ユーザが支払いを柔軟に選択できないという問題がある。すなわち、ユーザは、予め料金を支払って会員カードに金額情報を登録しておく必要が生じてしまう。また、プリペイドカードによる支払いでは、ハガキを印刷する前に、実際の印刷枚数以上の料金を支払う必要があるため、ユーザの負担感が大きいという問題がある。
【０００７】
本発明は、上記課題に鑑み、多様な支払い方法で機器を利用可能な課金システムを提供することを目的とする。
【課題を解決するための手段】
【０００８】
本発明は、認証が成立したユーザによる電子機器の利用料を課金装置が課金する課金システムであって、前記電子機器は、前記電子機器を利用するユーザを検知し、該ユーザを識別するユーザ識別情報を取得する識別情報取得手段と、前記ユーザが選択した機能に応じた処理を実行する処理実行手段と、前記処理の内容に応じて課金情報を作成し、前記ユーザ識別情報と対応づけて課金情報記憶手段に記憶する課金情報作成手段と、を有し、前記課金装置は、前記課金情報記憶手段に記憶された前記課金情報を読み出してユーザ別の課金額を算出し、ユーザ情報記憶手段から読み出した決済方法で決済する決済手段を有する、ことを特徴とする。
【発明の効果】
【０００９】
多様な支払い方法で機器を利用可能な課金システムを提供することができる。
【図面の簡単な説明】
【００１０】
【図１】本実施形態の印刷システムの概略を説明する図の一例である。
【図２】本実施形態におけるＭＦＰのハードウェア構成の一例を示す図である。
【図３】本実施形態における携帯端末のハードウェア構成の一例を示す図である。
【図４】本実施形態におけるＭＦＰ管理サーバー、会員管理サーバー、履歴管理サーバー、課金管理サーバー、及び、会員書庫サーバーのハードウェア構成の一例を示す図である。
【図５】本実施形態における印刷システムの機能構成の一例を示す図である。
【図６】携帯端末が使用する会員制ＭＦＰ管理アプリケーション７０の機能ブロック図の一例である。
【図７】本実施形態におけるＭＦＰ情報登録画面の一例を示す図である。
【図８】本実施形態における管理情報登録画面の一例を示す図である。
【図９】ＭＦＰ情報と管理情報の一例を示す図である。
【図１０】プリンタドライバのインストール時にＰＣに表示される画面の一例である。
【図１１】会員登録時にＰＣに表示される会員登録画面の一例を示す図である。
【図１２】会員情報の一例を示す図である。
【図１３】携帯端末又は会員カードに書き込まれた会員番号と会員名称を示す図の一例である。
【図１４】ＭＦＰが利用されてない状態の操作パネルに表示される初期画面の一例を示す図である。
【図１５】ＭＦＰとＭＦＰ会員の距離を模式的に示す図の一例である。
【図１６】ＭＦＰの検索方法を説明するための図の一例である。
【図１７】書庫印刷ログイン画面の一例を示す図である。
【図１８】電子メールが送信されるいくつかの状況を説明する図の一例である。
【図１９】ＭＦＰの利用履歴に基づく履歴情報と課金情報の作成について説明する図の一例である。
【図２０】ＭＦＰ会員がＭＦＰを利用する際の印刷システムの動作手順を説明する図の一例である。
【図２１】ＭＦＰ会員が携帯端末を操作して利用する印刷システムの動作手順を説明する図の一例である。
【図２２】ＭＦＰが行う印刷処理の処理手順を示すフローチャート図の一例である。
【図２３】ＭＦＰが管理する印刷処理制御情報を示す図の一例である。
【図２４】ＭＦＰ会員がＭＦＰを操作する際の手順を示すフローチャート図の一例である。
【図２５】ＭＦＰ会員がＭＦＰを操作する際の手順を示すフローチャート図の一例である。
【図２６】課金管理サーバーが会員課金を行う手順を示すフローチャート図の一例である。
【図２７】会員決済管理テーブルの一例を示す図である。
【図２８】課金管理サーバーが配当金決済を行う手順を示すフローチャート図の一例である。
【図２９】配当金決済管理テーブルの一例を示す図である。
【発明を実施するための形態】
【００１１】
以下、本発明を実施するための形態について図面を参照しながら説明する。
図１は、本実施形態の印刷システム１の概略を説明する図の一例である。
【００１２】
１．ＭＦＰ会員は、当該印刷システム１を利用するユーザである。ＭＦＰ会員は例えばＰＣ（Personal Computer）４０（又は携帯端末２０でもよい）を操作して会員管理サーバー３１へアクセスし、会員登録することによりＭＦＰ会員になる。これにより、ＭＦＰ（Multifunction Peripheral）１０の利用が可能となる。ＭＦＰ会員は会員書庫サーバー３４にファイルデータを登録しておきＭＦＰ１０や携帯端末２０から印刷できる。ＭＦＰ１０は、コンビニ、マンション、企業等に設置されている。
【００１３】
２．また、ＭＦＰ会員は、携帯端末２０を操作してＭＦＰ管理サーバー３０へアクセスし、ＭＦＰを検索できる。検索に適合したＭＦＰのＭＦＰ情報を取得して、ＭＦＰ１０の位置を地図上に表示する。また、会員書庫サーバー３４へアクセスして、ＭＦＰ会員が選択した文書（及び画像）の印刷を検索したＭＦＰ１０へ指示する。少なくとも一部のＭＦＰ１０はセキュア排紙トレイ３６を有し、印刷物はセキュア排紙トレイ３６に排紙される。
【００１４】
３．ＭＦＰ会員は会員カード３７を携帯している。会員カード３７はＭＦＰ１０のＩＣカードリーダから半径５ｍ程度の範囲まで認識可能な非接触型ＩＣカードであり、会員登録の際、ＭＦＰ会員へ提供される。ＭＦＰ会員は会員カード３７によりＭＦＰ１０へログインでき、ＭＦＰ１０を利用する。なお、携帯端末２０に搭載されたＩＣにより会員カード３７を代用できる。
【００１５】
ＭＦＰ会員が会員カード３７又は携帯端末２０を携帯して、ＭＦＰ１０に接近すると、パスワードなどの入力が可能となる。ＭＦＰ会員がＭＦＰ１０の操作パネルからパスワードを入力すると、セキュア排紙トレイ３６の施錠が解錠され印刷物を取り出せる。
【００１６】
４．ＭＦＰ会員が印刷、コピー、ＦＡＸ等でＭＦＰ１０を利用すると、ＭＦＰは、ＭＦＰ会員の属性を含めた利用履歴を作成し、履歴管理サーバー３２へ送信する。履歴管理サーバー３２は利用履歴を蓄積する。また、ＭＦＰ１０は課金情報を作成し、課金管理サーバー３３へ送信する。課金管理サーバー３３は課金情報を蓄積する。
【００１７】
この他、ＭＦＰ１０は、携帯端末２０へ、印刷完了、ＭＦＰ１０のペーパーニアエンド、トナーニアエンド、ユーザーヘルプ等を電子メールにより通知する。
【００１８】
本実施形態における印刷システム１において、会員管理サーバー３１には決済方法が登録されている。また、上記のように、ＭＦＰ１０は、ＭＦＰ１０を利用したＭＦＰ会員の履歴情報と課金情報を作成して、履歴管理サーバー３２と課金管理サーバー３３に蓄積している。したがって、課金管理サーバー３３は、課金情報を用いてＭＦＰ会員毎に、会員情報に登録された決済方法で決済することができる。印刷システム１は課金システムの一例である。
【００１９】
また、訪問者が訪問先やコンビニにＵＳＢへデータを持ち運ぶのは、紛失の恐れがありセキュリティ上好ましくないが、本実施形態では、会員書庫サーバー３４に文書を登録しておくので外出先で安全に印刷することができる。また、コンビニなどの営業時間や営業場所に応じて時間や場所の制約を受けにくくして印刷できる。
【００２０】
以下、図１について補足的に説明する。印刷システム１は、ネットワーク３８を介して接続された、ＭＦＰ１０と、携帯端末２０と、ＰＣ４０と、各種サーバー（ＭＦＰ管理サーバー３０、会員管理サーバー３１、履歴管理サーバー３２、課金管理サーバー３３、会員書庫サーバー３４）とを有している。携帯端末２０とＰＣ４０とは少なくとも一方が有ればよいが、本実施形態では携帯端末２０が書庫印刷を行い、ＰＣ４０はプリンタドライバを使用して印刷を行うものとする。また、会員カード３７については印刷システム１に含めてもよいし、携帯端末２０にて代用してもよい。会員カード３７又は携帯端末２０は通信端末の一例である。
【００２１】
ＭＦＰ１０、携帯端末２０及び会員カード３７は、近距離無線通信を行う機能を備え、ＭＦＰ１０と携帯端末２０（ＭＦＰ１０と会員カード３７）とは近距離無線通信を行う。本実施形態における近距離無線通信は、ＩＳＯ／ＩＥＣ１８０９２又はＩＳＯ／ＩＥＣ２１４８１勧告に準拠する１３．５６ＭＨｚ帯の周波数を用いたＮＦＣ通信規格による通信（以下、「ＮＦＣ通信」という。）である。なお、近距離無線通信は、ＮＦＣ通信規格に限らず、例えばＢｌｕｅｔｏｏｔｈ（登録商標）、無線ＬＡＮ、ＷｉＧｉｇ（Wiress Gigbit）等であってもよい。
【００２２】
ネットワーク３８は、携帯端末網や無線ＬＡＮ網などの通信網、ＬＡＮやＷＡＮ、及び、インターネット等が、適宜組み合わされて構築されている。
【００２３】
ＭＦＰ１０は電子機器の一例であって、印刷、スキャン、コピー及びファクシミリ等のうちの一以上の機能を一台の筐体によって実現する複合機である。印刷機能に着目して画像形成装置と呼ばれる場合がある。また、ＭＦＰ１０は、ＮＦＣ通信機能を実現するＮＦＣユニットを有する。このＮＦＣユニットは、充電可能なバッテリを備えており、ＮＦＣユニットがＭＦＰ１０本体の電源からの電力供給を受けられない場合は、このバッテリ電力により動作することができる。
【００２４】
本実施形態のＭＦＰ１０は、ＭＦＰ会員によりＭＦＰ１０が備える画像処理機能（ＭＦＰ機能）が利用されたり、ＭＦＰ１０にＭＦＰ会員が接近し検知されたりすると、そのＭＦＰ会員の会員番号を取得して操作パネルに適切な画面を表示する。また、ＭＦＰ会員に対し印刷物がセキュア排紙トレイ３６に保持されていることやＭＦＰ会員に適した広告を表示してもよい。
【００２５】
なお、本実施形態のＭＦＰ１０は、他の電子機器の一例として、例えばプロジェクタや大画面ディスプレイ等の画像処理装置であってもよい。
【００２６】
携帯端末２０は、ＭＦＰ会員に携帯される端末の一例であって、ＮＦＣ通信規格に対応するＩＣ（Integrated  Circuit）チップ（ＮＦＣチップ）が搭載されたカード（ＩＣカード）、スマートフォン、タブレット端末、ノートＰＣ（Personal  Computer）、ＰＤＡ(Personal Digital Assistant)又は携帯電話等のＮＦＣ対応携帯端末であればよい。なお、上述したように、近距離無線通信規格がＢｌｕｅｔｏｏｔｈ等である場合は、Ｂｌｕｅｔｏｏｔｈ等に対応する装置が携帯端末２０に搭載される。また、携帯端末２０のＩＣチップには、ＭＦＰ会員を識別するユーザ識別情報である会員番号が記憶されている。
【００２７】
ＭＦＰ管理サーバー３０は、ＭＦＰ情報（後述するが、例えばＭＦＰ番号、設置環境、設置位置等）を記憶するコンピュータである。ＭＦＰ情報は、ＭＦＰ設置時にカスタマエンジニアなどにより設定される。
【００２８】
会員管理サーバー３１は、会員登録したＭＦＰ会員の会員番号、パスワード、属性等を記憶するコンピュータである。また、ＭＦＰ１０を利用するＭＦＰ会員の認証を行う。会員管理サーバー３１は外部装置の一例である。
【００２９】
履歴管理サーバー３２は、ＭＦＰ会員がＭＦＰ１０を利用した際に作成される履歴情報を記憶するコンピュータである。履歴管理サーバー３２は、履歴情報を活用したサービスをＭＦＰ会員に提供する。
【００３０】
課金管理サーバー３３は、ＭＦＰ会員のＭＦＰ１０の利用に関わる課金情報を記憶している。課金管理サーバー３３は、課金情報を収集して予め決められた期間毎（毎日、週末、月末、年末等）に決算処理する。この期間をＭＦＰ会員が選択してもよい。課金管理サーバー３３は課金装置の一例である。
【００３１】
会員書庫サーバー３４は、ＭＦＰ会員へ提供される記憶装置がであり、ＰＣ４０、携帯端末２０又はＭＦＰ１０で入力されアップロードされた文書や画像を保存するコンピュータである。ＭＦＰ１０は、これらをダウンロードして印刷したり、ＭＦＰ側に保存することができる。
【００３２】
なお、各種サーバー（ＭＦＰ管理サーバー３０、会員管理サーバー３１、履歴管理サーバー３２、課金管理サーバー３３、会員書庫サーバー３４）は、それぞれの装置が備える機能の１つ以上を一台の装置に集約させるような構成としてもよいし、一以上の装置が各機能を分散して保持する構成としてもよい。
【００３３】
［ハードウェア構成］
＜画像形成装置＞
図２は、本実施形態におけるＭＦＰ１０のハードウェア構成の一例を示す図である。
【００３４】
ＭＦＰ１０は、コントローラ１０００と、操作パネル１０１０と、記憶メディアＩ／Ｆ１０２０と、データ通信Ｉ／Ｆ１０３０と、ＨＤＤ（Hard  Disk  Drive）１０４０と、ＮＦＣ  Ｉ／Ｆ１０５０と、スキャナ１０６０と、プロッタ１０７０とを有し、それぞれＰＣＩバス１０８０で相互に接続されている。
【００３５】
コントローラ１０００は、ＲＯＭ１００１、ＲＡＭ１００２及びＣＰＵ１００３を有しており、ＲＯＭ１００１は、ＭＦＰ１０が起動されるときに実行されるプログラムや各種データを格納している。また、ＲＡＭ１００２は、ＲＯＭ１００１やＨＤＤ１０４０から読み出された各種プログラムやデータを一時保持する。
【００３６】
操作パネル１０１０は、入力装置１０１１と表示装置１０１２とを有しており、入力装置１０１１は、ハードウェアキー等で構成され、ＭＦＰ１０に各操作信号を入力するのに用いられる。また、表示装置１０１２は、ディスプレイ等で構成され、例えば画像形成動作に関する各種情報を表示する。
【００３７】
記憶メディアＩ／Ｆ１０２０は、ドライブ装置１０２１を有しており、ドライブ装置１０２１に記録媒体１０２２がセットされると、記録媒体１０２２に記録される各種データがドライブ装置１０２１を介してＨＤＤ１０４０に格納される。
【００３８】
データ通信Ｉ／Ｆ１０３０は、インタフェース装置１０３１を有しており、ＭＦＰ１０をネットワーク３８等のデータ伝送路に接続するインタフェースである。
【００３９】
ＨＤＤ１０４０は、ＭＦＰ１０で取り扱われる受信文書データや読み取り画像データ等の各種データを格納している。また、ＨＤＤ１０４０は、これらの各種データを、所定のファイルシステムやＤＢ（Data  Base）により管理している。ＨＤＤ１０４０に格納される各種データの中には、例えば、スマートフォンやデジタルカメラ等の外部機器によって記録された電子データも含まれる。このような場合には、ＳＤカード等の記録媒体１０２２によってＭＦＰ１０に提供されたり、データ伝送路であるネットワーク等を通じてアップロードされたりする。
【００４０】
ＮＦＣ  Ｉ／Ｆ１０５０は、ＵＳＢ（Universal  Serial  Bus）ホスト１０５１を有しており、ＵＳＢホスト１０５１は、ＵＳＢケーブルを介して、ＮＦＣ  Ｒ／Ｗ１０５２と接続される。ＵＳＢホスト１０５１は、ＮＦＣ  Ｒ／Ｗ１０５２と通信するための物理的・電気的Ｉ／Ｆを制御する機能及びＵＳＢプロトコルを制御する機能を有して、ＮＦＣ  Ｒ／Ｗ１０５２と通信する。なお、ＮＦＣ  Ｒ／Ｗ１０５２は、ＭＦＰ１０の筐体内に組み込まれるような構成であってもよい。
【００４１】
スキャナ１０６０は、画像読取装置１０６１を有しており、読み取り面に配置された原稿を光学的に読み取り画像データを生成する。
【００４２】
プロッタ１０７０は、印刷装置１０７１を有しており、例えば、電子写真プロセス方式によってビットマップイメージを記録紙に印刷する。
【００４３】
このように、本実施形態におけるＭＦＰ１０では、上記ハードウェア構成により、コピー、プリンタ、ファクシミリ、スキャナ等の複数の機能、情報検索機能、近距離通信を含む通信機能及び認証機能等を実現している。
【００４４】
＜携帯端末＞
図３は、本実施形態における携帯端末２０のハードウェア構成の一例を示す図である。図３には、携帯端末２０がＮＦＣ対応の携帯端末である場合のハードウェア構成を示す。
【００４５】
携帯端末２０は、ＮＦＣデバイス全体の動作を制御するＣＰＵ２０１、基本入出力プログラムを記憶したＲＯＭ２０２、ＣＰＵ２０１のワークエリアとして使用されるＲＡＭ２０３、ＣＰＵ２０１の制御にしたがってデータの読み出し又は書き込みを行うフラッシュＲＯＭ２０４、ＣＰＵ２０１の制御に従って被写体を撮像し画像データを得るＣＭＯＳ（Complementary  Metal  OxＩＤe  Semiconductor）センサ２０５、地磁気を検知する電子磁気コンパスやジャイロコンパス、加速度センサ等の各種加速度・方位センサ２０６、フラッシュメモリ等の記録メディア２０７に対するデータの読み出し又は書き込み（記憶）を制御するメディアドライブ２０８及び現在時刻や日付、曜日等の情報を有するチップであるＲＴＣ（Real  Time  Clock；リアルタイムクロック）２０９を備えている。そして、メディアドライブ２０８の制御に従って、既に記録されていたデータが読み出され又は新たにデータが書き込まれて記憶する記録メディア２０７が着脱自在な構成となっている。
【００４６】
なお、フラッシュＲＯＭ２０４には、ＣＰＵ２０１が実行するオペレーティングシステム（ＯＳ）、ネットワーク設定に必要なアソシエーション情報及びＭＦＰ１０を使用するための認証に用いるデータ等が記憶されている。また、後述する会員制ＭＦＰ管理アプリケーションが記憶されている。
【００４７】
また、ＣＭＯＳセンサ２０５は、光を電荷に変換して被写体の画像を電子化する電荷結合素子であり、被写体を撮像することができれば、ＣＭＯＳセンサに限らず、ＣＣＤ（Charge  Coupled  Device）センサであってもよい。
【００４８】
さらに、携帯端末２０は、音声を音声信号に変換する音声入力部２１０、音声信号を音声に変換する音声出力部２１１、アンテナ２１２、このアンテナ２１２を利用して無線通信信号により最寄りの基地局と通信を行う通信部２１３、アクセスポイントとＩＥＥＥ８０２１２規格に準拠する無線ＬＡＮ通信を行う無線ＬＡＮ通信部２１４、近距離通信用アンテナ２１５、この近距離通信用アンテナ２１５を利用してＮＦＣ  Ｒ／Ｗ１０５２と近距離通信を行う近距離通信部２１６、ＧＰＳ衛星からＧＰＳ信号を受信するＧＰＳ受信部２１７、被写体の画像や各種アイコン等を表示する液晶や有機ＥＬ等の表示部であるディスプレイ２１８、このディスプレイ２１８上に載せられ、感圧式又は静電式のパネルによって構成され、指やタッチペン等によるタッチによってディスプレイ２１８上におけるタッチ位置を検出するタッチパネル２１９及び上記各部を電気的に接続するためのアドレスバスやデータバス等のバスライン２２１を備えている。また、携帯端末２０は、専用の電池２２０も設けられており、この電池２２０によって駆動される。なお、音声入力部２１０は、音声を入力するマイクが含まれ、音声出力部２１１には、音声を出力するスピーカーが含まれている。
【００４９】
このように、本実施形態における携帯端末２０では、上記ハードウェア構成により、携帯端末の基本機能、自端末の位置測位機能及びＮＦＣ  Ｒ／Ｗ１０５２との近距離通信（ＮＦＣ）機能等を実現している。なお、携帯端末２０とＭＦＰ１０との通信は、近距離通信に限らず、無線ＬＡＮ等により通信が行われてもよい。しかしながら、携帯端末２０における消費電力の観点から無線ＬＡＮ等に比べ、近距離通信（ＮＦＣ）が好適である。
【００５０】
なお、携帯媒体の一例である携帯端末２０が会員カード３７である場合、カード内に上記構成のうちＩＣチップを構成するＣＰＵ２０１、ＲＯＭ２０２、ＲＡＭ２０３、ＥＥＰＲＯＭ及び近距離通信部２１６と、近距離通信用アンテナ２１５とが埋め込まれている構成であればよい。なお、ＩＣカードに含まれる近距離通信用アンテナ２１５は、ＮＦＣ  Ｒ／Ｗ１０５２が発する磁界を受信するコイルであり、ＮＦＣ  Ｒ／Ｗ１０５２とのデータ交換及びＩＣチップへの電力供給を行う。
【００５１】
＜ユーザ情報管理サーバー＞
図４は、本実施形態におけるＭＦＰ管理サーバー３０、会員管理サーバー３１、履歴管理サーバー３２、課金管理サーバー３３、及び、会員書庫サーバー３４のハードウェア構成の一例を示す図である。図４の説明において各種のサーバーを単にサーバー３０〜３４という。
【００５２】
サーバー３０〜３４は、サーバー３０〜３４の全体の動作を制御するＣＰＵ３０１、ＩＰＬ（Initial  Program  Loader）等のＣＰＵ３０１の駆動に用いられるプログラムを記憶したＲＯＭ３０２、ＣＰＵ３０１のワークエリアとして使用されるＲＡＭ３０３、管理端末用のプログラム等の各種データ等を記憶するＨＤ３０４、ＣＰＵ３０１の制御にしたがってＨＤ３０４に対する各種データの読み出し又は書き込みを制御するＨＤＤ３０５、フラッシュメモリ等の記録メディア３０６に対するデータの読み出し又は書き込み（記憶）を制御するメディアドライブ３０７、カーソル、メニュー、ウィンドウ、文字又は画像等の各種情報を表示するディスプレイ３０８、ネットワーク３８を利用してデータ通信するためのネットワークＩ／Ｆ３０９、文字、数値、各種指示等の入力のための複数のキーを備えたキーボード３１０、各種指示の選択や実行、処理対象の選択、カーソルの移動等を行うマウス３１１、着脱可能な記録媒体の一例としての記録媒体３１３に対する各種データの読み出し又は書き込みを制御する光学ドライブ３１２、外部機器を接続するための外部機器Ｉ／Ｆ３１４並びに上記各構成要素を電気的に接続するためのアドレスバスやデータバス等のバスライン３１７を備えている。
【００５３】
このように、本実施形態におけるサーバー３０〜３４では、上記ハードウェア構成により、ＭＦＰ１０との通信機能及び情報記憶機能等を実現している。
【００５４】
［機能構成］
図５は、本実施形態における印刷システム１の機能構成の一例を示す図である。
【００５５】
＜携帯端末＞
携帯端末２０は、識別情報送信手段２２と識別情報記憶手段２１を有している。これらは、ＭＦＰ１０のＣＰＵ２０１がフラッシュＲＯＭ２０４に記憶されたプログラムを実行してハードウェアと協働することで実現される機能又は手段である。
【００５６】
識別情報記憶手段２１は、少なくとも会員番号と会員名称を記憶している。識別情報送信手段２２は、ＭＦＰ１０から例えば５〜６ｍ以内に接近しＭＦＰ１０から要求されると、会員番号と会員名称をＭＦＰ１０に送信する。
【００５７】
＜ＭＦＰ＞
ＭＦＰ１０は、検知手段４１、照合要求手段４２、ＰＤＬ変換手段１１、ネットワーク通信手段１２、電子メール通知手段１３、ＭＦＰ操作手段１４、ＭＦＰ情報登録手段１５、印刷手段１６、ＭＦＰ機能実行手段１７、履歴情報作成手段１８、課金情報作成手段１９、及び、ＭＦＰ情報記憶手段４３等を有する。これらは、ＭＦＰのＣＰＵ１００３がＨＤＤ１０４０に記憶されたプログラムを実行してハードウェアと協働することで実現される機能又は手段である。なお、ＭＦＰ１０は、図ではネットワーク３８を介してＭＦＰ管理サーバー３０、履歴管理サーバー３２、課金管理サーバー３３、及び、会員管理サーバー３１と接続されていないが、これらともネットワーク３８を介して通信する。
【００５８】
検知手段４１は、ＮＦＣ  Ｒ／Ｗ１０５２等の処理により実行されＭＦＰ１０の付近（約５ｍ以内）に位置するＮＦＣを有する携帯端末２０又は会員カード３７を検知する。また、検知手段４１は、検知した携帯端末２０又は会員カード３７からＭＦＰ会員を一意に識別する識別情報である会員番号を取得し、照合要求手段４２に出力する。なお、ＮＦＣ通信を行う距離は、使用する周波数帯域の変更により長くできる。さらに、検知手段４１は、ＭＦＰ会員によりＭＦＰ１０が使用された場合も使用時にＭＦＰ会員に入力された会員番号とパスワードを照合要求手段４２に出力する。
【００５９】
照合要求手段４２は、検知手段４１から出力された会員番号とパスワードを含む照合要求を生成し、会員管理サーバー３１に照合要求を送信する。また、照合要求手段４２は、照合要求の応答として、照合結果及び照合結果が照合可能であった場合、会員（ユーザ）の会員情報を取得する。
【００６０】
ＭＦＰ情報記憶手段４３は、例えばＨＤ３０４に確保される記憶手段である。ＭＦＰ情報記憶手段４３には、カスタマエンジニアにより設定されたＭＦＰ情報（後述するが、例えば、設置環境、設置位置等）、ＭＦＰ管理者により設定された管理情報（後述するが、例えば、管理者パスワード、メールアドレス、口座番号）が記憶されている。
【００６１】
ＭＦＰ操作手段１４は、操作パネル１０１０へ操作用のメニューを表示し選択を受け付け、メニューに対応する機能の実行をＭＦＰ機能実行手段１７へ出力する。また、操作パネル１０１０で「ヘルプ」ボタンが押下されると、電子メール通知手段１３にヘルプメールの作成を要求する。また、カスタマエンジニアにより設定され、ＭＦＰ情報記憶手段４３に記憶されているＭＦＰ情報と管理情報をＭＦＰ情報登録手段１５へ出力する。
【００６２】
ＭＦＰ機能実行手段１７は、ＭＦＰ操作手段１４により通知された機能（コピー、ＦＡＸ等）を実行する。ＭＦＰ機能実行手段１７は実行内容（例えば、コピー：コピー枚数、白黒・カラー、複写枚数、用紙サイズ、使用したオプション、ＦＡＸ：通信時間）を履歴情報作成手段１８と課金情報作成手段１９に通知する。
【００６３】
ネットワーク通信手段１２は、ネットワーク３８を介してＰＣ４０からＰＤＬ（ページ記述言語で記述された印刷ジョブ）を受信し、印刷手段１６へ印刷依頼する。また、携帯端末２０から印刷指示を受信した場合、会員書庫サーバー３４からファイルデータを取得しＰＤＬ変換手段１１へ出力する。また、電子メール通知手段１３から電子メールの送信要求を受けとると、ＰＣ４０又は携帯端末２０のメールアドレスへ送信する。
【００６４】
ＰＤＬ変換手段１１は、ネットワーク通信手段１２から取得したファイルデータを解釈してＰＤＬへ変換し、印刷手段１６へ印刷依頼する。ファイルデータは、ＰＤＬに変換される前のアプリケーションが作成したファイル、又は、ＥＭＦスプールなどで作成された中間ファイルである。
【００６５】
印刷手段１６は、ＰＤＬを解釈して画像データを作成し印刷する。また、履歴情報作成手段１８と課金情報作成手段１９に印刷内容（ページ数、部数、白黒・カラー、用紙サイズ、使用したオプションなど）を通知する。
【００６６】
履歴情報作成手段１８は、ＭＦＰ管理サーバー３０からＭＦＰ情報を取得して、また、会員管理サーバー３１から会員情報を取得して、これらと印刷手段１６の印刷内容又はＭＦＰ機能実行手段１７の実行内容から履歴情報を作成し、履歴管理サーバー３２へ送信する。課金情報作成手段１９は、同様に、ＭＦＰ情報、会員情報及び印刷内容（実行内容）から課金情報を作成し、課金管理サーバー３３へ送信する。
【００６７】
電子メール通知手段１３は、印刷手段１６から印刷完了を取得し、印刷完了メールを作成する。また、ＭＦＰ操作手段１４から「ヘルプ」ボタンの押下通知を取得すると、ヘルプメールを作成する。電子メール通知手段１３は、ネットワーク通信手段１２へ電子メールの送信を要求する。また、電子メール通知手段１３は、トナー残量、トレイの残紙量を監視し、予め設定された値以下になったらサプライ補給メールを作成し、ネットワーク通信手段１２へ電子メールの送信を要求する。
【００６８】
ＭＦＰ情報登録手段１５は、カスタマエンジニアが設定したＭＦＰ情報をＭＦＰ操作手段１４から受けとりＭＦＰ情報記憶手段４３へ保存する。また、ＭＦＰ情報記憶手段４３に保存したＭＦＰ情報をＭＦＰ管理サーバー３０へ送信する。
【００６９】
＜ＭＦＰ管理サーバー＞
ＭＦＰ管理サーバー３０は、ＭＦＰ情報管理手段５３とＭＦＰ情報記憶手段５４とを有している。これらは、サーバーのＣＰＵ３０１がＨＤ３０４に記憶されたプログラムを実行してハードウェアと協働することで実現される機能又は手段である。
【００７０】
ＭＦＰ情報管理手段５３は、ＭＦＰ１０からＭＦＰ情報を受信してＭＦＰ情報記憶手段５４へ保存する。履歴情報と課金情報の作成のため、ＭＦＰ情報をＭＦＰ機能実行手段１７に送信する。また、課金管理サーバー３３の会員課金決済手段６３と配当金決済手段６２に、ＭＦＰ情報記憶手段５４に記録されているＭＦＰ情報を送信する。また、携帯端末２０の会員制ＭＦＰ管理アプリケーション（後述する）へＭＦＰ情報を送信する。
【００７１】
ＭＦＰ情報記憶手段５４は、例えばＨＤ３０４に確保される、ＭＦＰ１０から送信されたＭＦＰ情報を記憶する。
【００７２】
＜会員管理サーバー＞
会員管理サーバー３１は、会員情報管理手段６５と会員情報記憶手段６６を有している。これらは、サーバーのＣＰＵ３０１がＨＤＤに記憶されたプログラムを実行してハードウェアと協働することで実現される機能又は手段である。
【００７３】
会員情報管理手段６５は、ＰＣ４０又は携帯端末２０へ会員登録Ｗｅｂページを送信して表示させ、ＭＦＰ会員が入力した会員情報を受信して会員情報記憶手段６６に登録する。会員情報管理手段６５は、会員情報記憶手段６６に記憶されている会員情報を課金管理サーバー３３に送信する。会員情報は、携帯端末２０やＭＦＰ１０にも送信可能である。
【００７４】
また、会員情報管理手段６５は、ＭＦＰ会員がＭＦＰ１０のＭＦＰ機能を実行する際、及び、会員書庫サーバー３４にアクセスする時に会員を認証する。
【００７５】
会員情報記憶手段６６は、例えばＨＤ３０４に確保され、会員情報を記憶する記憶手段である。
【００７６】
＜履歴管理サーバー＞
履歴管理サーバー３２は、履歴情報管理手段５５と履歴情報記憶手段５６を有している。これらは、サーバーのＣＰＵ３０１がＨＤＤに記憶されたプログラムを実行してハードウェアと協働することで実現される機能又は手段である。
【００７７】
履歴情報管理手段５５は、ＭＦＰ１０から履歴情報を受信して履歴情報記憶手段５６へ記憶する。履歴情報記憶手段５６は、例えばＨＤ３０４に確保され、履歴情報を記憶している。
【００７８】
＜会員書庫サーバー＞
会員書庫サーバー３４は会員書庫管理手段５１とファイル記憶手段５２を有している。これらは、サーバーのＣＰＵ３０１がＨＤＤに記憶されたプログラムを実行してハードウェアと協働することで実現される機能又は手段である。
【００７９】
会員書庫管理手段５１は、ＭＦＰ１０、携帯端末２０又はＰＣ４０からファイルデータ（文書・画像等）を受信し、ファイル記憶手段５２へ記憶させる。また、携帯端末２０又はＰＣ４０からファイルデータを要求された場合、ファイル記憶手段５２からファイルデータを取得して携帯端末２０又はＰＣ４０に転送する。
【００８０】
ファイル記憶手段５２は、例えばＨＤ３０４に確保され、会員番号に対応づけてファイルデータを記憶している。
【００８１】
＜課金管理サーバー＞
課金管理サーバー３３は、課金情報管理手段６１、配当金決済手段６２、会員課金決済手段６３、及び、課金情報記憶手段６４を有している。これらは、サーバーのＣＰＵ３０１がＨＤＤに記憶されたプログラムを実行してハードウェアと協働することで実現される機能又は手段である。
【００８２】
課金情報管理手段６１は、ＭＦＰ１０から課金情報を受信して課金情報記憶手段６４へ記憶させる。課金情報記憶手段６４は例えばＨＤ３０４に確保され、課金情報を記憶している。
【００８３】
配当金決済手段６２は、予め定められた期間毎に課金情報記憶手段６４に保存されている課金情報からＭＦＰ毎の課金総額を算出し、課金総額と配当率から配当金を算出する。配当金とは、課金総額のうちＭＦＰ１０の管理者が受け取る取り分である。管理者とは、例えばコンビニの運営者、マンションの共用部門などの責任者などである。配当率は配当金を算出するための掛け率であり１以下（１を超過してもよい）の値である。また、ＭＦＰ管理サーバー３０からＭＦＰ情報を取得し、ＭＦＰ情報にて設定されている口座番号に配当金を振り込む。
【００８４】
会員課金決済手段６３は、予め定められた期間毎に課金情報記憶手段６４に保存されている課金情報から会員毎の上記期間の課金総額を算出する。この期間は、ＭＦＰ会員毎に異なっていてもよいし共通でもよい。また、会員管理サーバー３１から会員情報を取得して、会員情報に設定されている決済方法により決済する。
【００８５】
＜会員制ＭＦＰ管理アプリケーション＞
図６は、携帯端末２０が使用する会員制ＭＦＰ管理アプリケーション７０の機能ブロック図の一例を示す。会員制ＭＦＰ管理アプリケーション７０は、メニュー表示手段７１、ＭＦＰ検索要求手段７２、地図表示手段７３、ログイン手段７４、ファイル一覧要求手段７５、及び、印刷要求手段７６を有している。これらは、携帯端末２０のＣＰＵ２０１がフラッシュＲＯＭ２０４に記憶された会員制ＭＦＰ管理アプリケーション７０を実行してハードウェアと協働することで実現される機能又は手段である。
【００８６】
会員制ＭＦＰ管理アプリケーション７０は、ＭＦＰ会員が不図示のサーバーからダウンロードしてフラッシュＲＯＭ２０４に記憶される。または、メディア２０７に記憶された状態で配布され、ＣＰＵ２０１によりフラッシュＲＯＭに記憶される。
【００８７】
メニュー表示手段７１は、ディスプレイ２１８にメニュー画面を表示する。また、タッチパネルやマウスなどのポインティングデバイスで選択されたメニューを受け付ける。
【００８８】
ＭＦＰ検索要求手段７２は、ＭＦＰ１０を検索する。具体的には、ＭＦＰ会員が選択した設置地域コードをＭＦＰ管理サーバー３０に送信して、設置地域コードに該当する地域にあるＭＦＰ１０のＭＦＰ情報を取得する。
【００８９】
地図表示手段７３は、地図上にＭＦＰ１０の位置をマークなどで明記してディスプレイ２１８に表示する。また、地図表示手段７３は地図と共にＭＦＰ情報を表示する。
【００９０】
ログイン手段７４は、携帯端末２０のレジストリに記憶されているか、又は、ＭＦＰ会員が入力した会員番号とパスワードを会員管理サーバー３１に送信し、認証結果を取得する。認証が成立することで携帯端末２０は印刷システム１にログインする。
【００９１】
ファイル一覧要求手段７５は、会員番号を会員書庫サーバー３４に送信して、会員番号に対応づけられたファイル一覧を取得する。印刷要求手段７６は、ＭＦＰ会員が選択したファイルデータのパス名やファイル名を、ＭＦＰ会員が選択したＭＦＰ１０に送信することで、ＭＦＰ１０に印刷要求する。
【００９２】
[ＭＦＰ情報と管理情報の登録]
以下、印刷システム１において、ＭＦＰ会員がＭＦＰ１０を利用するまでの状況に応じて場面毎に説明する。
【００９３】
＜ＭＦＰ情報の登録＞
図７は、本実施形態におけるＭＦＰ情報登録画面の一例を示す図である。ＭＦＰ１０のカスタマエンジニア等はＭＦＰ１０の操作パネルを操作し、ＭＦＰ情報登録画面４００１を表示させる。なお、ＭＦＰ情報は、ＭＦＰ１０の操作パネル１０１０を介して入力する場合に限らず、例えば、ＭＦＰ管理サーバー３０等から遠隔でＭＦＰ１０に対してＭＦＰ情報を登録できるようにしてもよい。
【００９４】
ＭＦＰ情報登録画面４００１は、ＭＦＰ番号入力欄４０１、設置環境入力欄４０２、設置都道府県入力欄４０３、設置市区入力欄４０４、キャンセルボタン４０５、及び、次へボタン４０６を有している。ＭＦＰ番号は、ＭＦＰ１０を一意に識別する識別番号であり、一意であれば任意の数字、文字、記号又はこれらの組み合わせにより構成される。ＭＦＰ番号は電子機器識別情報の一例である。
【００９５】
設置環境入力欄４０２は、候補の中から選択された設置環境又は任意の設置環境が入力される。設置環境は、ＭＦＰ１０が設置された場所の属性を示す情報であり、例えば「コンビニエンスストア」や「マンション」等である。
【００９６】
設置都道府県入力欄４０３は、候補の中から選択された都道府県が入力される。設置市区入力欄４０４は、候補の中から選択された市区が入力される。
【００９７】
設置環境は設置環境コードに変換され、設置都道府県は県コードに変換され、設置市区は市コードに変換される。ＭＦＰ情報として記憶されるのはこれらのコードである。
【００９８】
カスタマエンジニアがキャンセルボタン４０５を押下すると入力された値はキャンセルされ、次へボタン４０６を押下すると、ＭＦＰ情報登録画面４００２が表示される。
【００９９】
ＭＦＰ情報登録画面４００２は、ＩＰアドレス入力欄４１１、建物名入力欄４１２、緯度入力欄４１３、経度入力欄４１４、キャンセルボタン４１５、及び、登録ボタン４１６を有している。ＩＰアドレス入力欄４１１は、カスタマエンジニア又はＤＨＣＰサーバーがＭＦＰ１０のＩＰアドレスを設定する欄である。建物名入力欄４１２は、カスタマエンジニアがＭＦＰ１０が設置されている建物名を入力する欄である。緯度入力欄４１３、及び、経度入力欄４１４は、カスタマエンジニアがＧＰＳ付きの携帯端末２０等で建物の位置を取得できる場合に入力される建物の緯度、経度が設定される。緯度、経度は位置情報の一例である。
【０１００】
カスタマエンジニアがキャンセルボタン４１５を押下すると入力された値はキャンセルされ、登録ボタン４１６を押下すると、ＭＦＰ情報がＭＦＰ情報記憶手段４３に記憶される。
【０１０１】
＜管理情報の登録＞
図８は、本実施形態における管理情報登録画面の一例を示す図である。ＭＦＰ１０のカスタマエンジニア等はＭＦＰ１０の操作パネル１０１０を操作し、管理情報登録画面４０１１を表示させる。なお、管理情報は、ＭＦＰ１０の操作パネル１０１０を介して入力する場合に限らず、例えば、ＭＦＰ管理サーバー３０等から遠隔でＭＦＰ１０に対してＭＦＰ情報を登録できるようにしてもよい。
【０１０２】
管理情報登録画面４０１１は、管理者パスワード登録ボタン４２１、管理項目設定ボタン４２２、及び、履歴表示ボタン４２３を有している。
【０１０３】
カスタマエンジニアが管理者パスワード登録ボタン４２１を押下すると、管理者パスワード入力画面４０１２が表示される。管理者パスワード入力画面４０１２は、管理者パスワード入力欄４２４、認証ボタン４２６、及び、キャンセルボタン４２５を有している。デフォルトのパスワードは例えば「１２３４５６７８」に設定されている。デフォルトのパスワードのまま、カスタマエンジニアが認証ボタン４２６を押下すると、ＭＦＰ情報登録手段１５がデフォルトのパスワードとＭＦＰ情報の「管理者パスワード」と一致すると判断し認証が成立する。これにより、管理者パスワード登録画面４０１３が表示される。
【０１０４】
管理者パスワード登録画面４０１３は、新パスワード入力欄４２７、確認欄４２８、キャンセルボタン４２９、及び、登録ボタン４３０を有している。カスタマエンジニアは新パスワード入力欄４２７と確認欄４２８に新パスワードを入力する。両者が一致する場合、登録ボタン４３０が押下されることで、管理項目設定画面４０１４が表示される。
【０１０５】
管理項目設定画面４０１４は、口座番号入力欄４３１とメールアドレス入力欄４３２を有している。口座番号入力欄４３１には、配当金の振込先となる銀行やクレジットカードの口座番号が入力される。口座番号の他、統一金融機関コード、口座種類、口座名義人などを登録してもよい。口座番号は配当先の一例である。メールアドレス入力欄４３２には、メンテナンスメールのメールアドレス（管理者のメールアドレス）が入力される。
【０１０６】
カスタマエンジニアが登録ボタン４３４を押下すると、新パスワード（管理者パスワード）、口座番号及びメールアドレスが、ＭＦＰ情報登録手段１５によりＭＦＰ情報記憶手段４３の管理情報として記憶される。
【０１０７】
＜ＭＦＰ情報、管理情報の例＞
図９は、ＭＦＰ情報と管理情報の一例を示す図である。ＭＦＰ情報として、ＭＦＰ番号、設置環境コード、設置地域コード、機種コード、オプション情報、建物名称、建物緯度、建物経度、及び、ＩＰアドレスが登録される。なお、機種コードとオプション情報は、ＭＦＰ情報登録手段１５がカスタマエンジニアの操作がなくても登録される。機種コードはＭＦＰ１０の機種（型番など）を表すコードでＲＯＭ１００１などに記憶されている。オプション情報は、ＭＦＰ１０のオプション機能の有り・無しを１と０で表した情報である。例えば、携帯充電サービス、インターネットＦＡＸ、セキュア排紙トレイ、フィニッシャー、製本、両面、ステイプル、デジタルサイネージなどの機能毎に１又は０が登録される。
【０１０８】
管理情報は、カスタマエンジニアが設定した、管理者パスワード、メールアドレス、及び、口座番号である。
【０１０９】
以上のようにして設定されたＭＦＰ情報と管理情報は、ＭＦＰ情報登録手段１５がＭＦＰ管理サーバー３０に送信する。ＭＦＰ管理サーバー３０は登録されているＭＦＰ１０の数であるＭＦＰ数と、各ＭＦＰ１０のＭＦＰ情報と管理情報を記憶する。したがって、ＭＦＰ情報の一部に管理情報が含まれており、管理情報はＭＦＰ情報と共に保存される。本実施形態では、単にＭＦＰ情報という場合はＭＦＰ情報と管理情報をいい、管理情報という場合は管理情報をいう。
【０１１０】
［会員登録］
会員登録について説明する。会員登録に対しては、ＭＦＰ会員が会員登録のみを行うことも可能だが、ここではプリンタドライバをインストールした後に行う手順として説明する。このプリンタドライバは印刷システム１のＭＦＰ１０のもので、プリンタドライバに続いて会員登録することでＭＦＰ会員は会員登録に必要な操作を容易に開始できる。
【０１１１】
＜プリンタドライバのインストール＞
図１０は、プリンタドライバのインストール時にＰＣ４０に表示される画面の一例を示す。ＭＦＰ会員はＰＣ４０のＷｅｂブラウザを操作して、不図示のプリンタドライバ提供サーバーへアクセスする。図１０（ａ）はインストーラのダウンロード画面４０２１の一例を示す。ダウンロード画面４０２１には「インストーラをＰＣにダウンロード、ドライバをインストールします。」と表示されている。ＭＦＰ会員がダウンロードボタン４４１を押下することで、図１０（ｂ）の画面４０２２が表示される。
【０１１２】
図１０（ｂ）の画面４０２２で、ＭＦＰ会員がインストールボタン４４３を押下すると、インストーラがドライバのインストールを開始する。中止ボタン４４２を押下するとインストールが中止される。
【０１１３】
インストールが完了すると、図１０（ｃ）の画面４０２３が表示される。インストーラはドライバ起動時に参照するドライバ初期情報（図１３（ｂ）にて説明する）を作成し、ＰＣ４０の記憶装置（レジストリ等）へプリンタドライバを保存する。
【０１１４】
次へボタン４４４は「会員登録Ｗｅｂページ」にリンクされており、次へボタン４４４を押下すると、図１０（ｄ）の会員登録画面４０２４が表示される。
【０１１５】
＜会員登録＞
図１１は、会員登録時にＰＣ４０に表示される会員登録画面４０２４の一例を示す図である。会員登録画面４０２４は、ドライバインストールの後、又は、ＰＣ４０や携帯端末２０のＷｅｂブラウザから「会員登録サイトＵＲＬ」を指定して会員登録サーバーへアクセスすることにより表示される。
【０１１６】
会員登録画面４０２４は、名前欄４５１、年齢欄４５２、性別選択ボタン４５３、メールアドレス欄４５４、決済方法選択ボタン４５５、カード／口座番号入力欄４５６、中止ボタン４５７、及び、次へボタン４５８を有している。
【０１１７】
ＭＦＰ会員は、名前欄４５１に名前を、年齢欄４５２に年齢を、性別選択ボタン４５３により性別を、メールアドレス欄４５４にメールアドレスを、決済方法選択ボタン４５５により決済方法を、カード／口座番号入力欄４５６にカード番号又は口座番号を、それぞれ入力する。ＭＦＰ会員が次へボタン４５８を押下すると、属性入力画面４０２５が表示される。
【０１１８】
属性入力画面４０２５は、趣味選択欄４６１、職業選択欄４６２、興味選択欄４６３、中止ボタン４６４及び登録ボタン４６５を有する。ＭＦＰ会員は、趣味選択欄４６１から趣味に該当する項目を選択（複数項目を選択可能）する。選択された趣味は、対応する「趣味コード」に変換される。
【０１１９】
同様に、ＭＦＰ会員は、職業選択欄４６２から職業に該当する項目を選択（複数項目を選択可能）する。選択された職業は、対応する「職業コード」に変換される。ＭＦＰ会員は、興味選択欄４６３から興味に該当する項目を選択（複数項目を選択可能）する。選択された興味は、対応する「興味コード」に変換される。ＭＦＰ会員が登録ボタン４６５を押下すると、会員登録完了画面４０２６が表示される。
【０１２０】
会員登録完了画面４０２６には、会員番号欄４６６に会員番号が表示される。会員管理サーバー３１の会員情報管理手段６５は会員情報記憶手段６６の会員番号と重複しない会員番号をＰＣ４０に送信する。これにより、ＭＦＰ会員に会員番号が割り当てられる。
【０１２１】
ＭＦＰ会員は、パスワード入力欄４６７と再入力欄４６８に任意のパスワードを入力する。また、会員カード送付先欄４６９に会員カード３７の送付先を入力する。終了ボタン４７０を押下すると、これらの会員情報が会員管理サーバー３１へ送信される。なお、会員カード３７の送付は任意である。
【０１２２】
そして、会員番号と会員名称は、携帯端末２０に書き込まれる。ＰＣ４０がＮＦＣ Ｒ／Ｗを有する場合は、ＰＣ４０から携帯端末２０に書き込むことができる。携帯端末２０のＩＣカードへの書き込み中は、ＰＣ４０はＮＦＣ Ｒ／Ｗに携帯端末２０を接近させてくださいという内容のメッセージを表示する。また、携帯端末２０が「会員登録サイトＵＲＬ」にアクセスした場合、例えば、会員制ＭＦＰ管理アプリケーション７０が携帯端末２０のＩＣカードに会員番号と会員名称を書き込む。ＭＦＰ会員が会員カード３７の送付を要求する場合、会員カード３７には会員番号と会員名称が記憶された状態で送付される。
【０１２３】
なお、上記のように、会員番号とパスワードはＰＣ４０のレジストリに記憶される。この記憶は、インストーラ、プリンタドライバ、又は、会員制ＭＦＰ管理アプリケーション７０のいずれが行ってもよい。
【０１２４】
＜会員情報の例＞
図１２は、会員情報の一例を示す図である。会員情報として、会員番号、パスワード、名前、年齢、性別、決済方法、カード／口座番号、メールアドレス、趣味コード、職業コード、及び、興味コードが登録される。
【０１２５】
以上のようにして設定された会員情報は、ＰＣ４０又は携帯端末２０が会員管理サーバー３１に送信する。会員管理サーバー３１は登録されている会員の数である会員数と、各会員の会員情報を記憶する。
【０１２６】
図１３（ａ）は、携帯端末２０又は会員カード３７に書き込まれた会員番号と会員名称を示す図の一例である。これにより、ＭＦＰ会員が入力しなくても、ＭＦＰ１０は会員番号を操作パネル１０１０に表示できる。携帯端末２０又は会員カード３７には、会員番号と会員名称の他、会員情報に含まれる情報を登録してもよい。
【０１２７】
図１３（ｂ）は、ＰＣ４０のレジストリに記憶される会員番号とパスワードを示す図の一例である。例えばＰＣ４０は、レジストリから会員番号とパスワードを読み出すので、ＭＦＰ会員が入力しなくても、ＭＦＰ１０や印刷システム１にログインできる。なお、レジストリには、会員番号とパスワードの他、基本用紙サイズ、印刷オプションなど、プリンタドライバがＵＩ（User Interface）画面に初期値として表示する情報が記憶されている。
【０１２８】
［ログイン、ログアウト］
続いて、ログインとログアウトについて説明する。ＭＦＰ会員の会員情報が会員管理サーバー３１に登録されると、会員管理サーバー３１の会員情報管理手段６５はＭＦＰ会員を認証できるようになる。認証が成立することでＭＦＰ会員がログインしたと表現できるが、ログインの対象はＭＦＰ１０、会員管理サーバー３１又は印刷システム１のいずれと表現してもよい。
【０１２９】
図１４（ａ）は、ＭＦＰ１０が利用されてない状態の操作パネル１０１０に表示される初期画面４０４１の一例を示す。すなわち、コンビニなどの設置場所ではこの初期画面４０４１が表示された状態になる。
【０１３０】
図１５はＭＦＰ１０とＭＦＰ会員の距離を模式的に示す図の一例である。携帯端末２０又は会員カード３７を携帯したＭＦＰ会員がＭＦＰ１０に接近する。ＭＦＰ会員がＭＦＰ１０から５ｍ〜６ｍ程度の範囲に接近し、携帯端末２０又は会員カード３７が検知された場合、検知手段４１は携帯端末２０から会員名称と会員番号を読み取り、パスワード入力画面４０４２を表示する。なお、携帯端末２０又は会員カード３７はどちらを携帯していてもよいため、図１４の説明では携帯端末２０を携帯しているものとして説明する。
【０１３１】
図１４（ｂ）はパスワード入力画面４０４２の一例を示す。パスワード入力画面４０４２には、会員名称入力欄４８１、パスワード入力欄４８２、キャンセルボタン４８３、及び、ログインボタン４８４が表示されている。ＭＦＰ会員はパスワード入力欄４８２にパスワードを入力し、ログインボタン４８４を押下する。会員名称入力欄４８１にはユーザが会員名称を入力してもよいが、会員カード３７又は携帯端末２０から読み取られるので入力は不要になる。
【０１３２】
これにより、照合要求手段４２が入力されたパスワードと会員番号を会員管理サーバー３１へ送信する。会員情報管理手段６５は、会員情報記憶手段６６のパスワードと会員番号と一致するか否かにより認証が成立するか否かを判定する。
【０１３３】
ＭＦＰ１０は、認証成立を会員管理サーバー３１から受信すると、ＭＦＰメニュー画面４０４３を表示する。図１４（ｃ）はＭＦＰメニュー画面４０４３の一例を示す。ＭＦＰメニュー画面４０４３には、ＭＦＰ１０が提供可能な機能として、コピーボタン４８５、ＦＡＸボタン４８６、印刷ボタン４８７、及び、トレイオープンボタン４８８が表示されている。このトレイオープンボタン４８８は、このＭＦＰ会員の印刷物がセキュア排紙トレイ３６に存在する場合、ＭＦＰメニュー画面４０４３に表示される。ＭＦＰ会員は任意のボタンを選択して、ＭＦＰ１０を使用することができる。
【０１３４】
ＭＦＰ会員がログアウトボタン４８９を押下するか、又は、携帯端末２０が検知されなくなると、ＭＦＰ１０はＭＦＰ会員がログアウトしたと判断し、図１４（ａ）の初期画面を表示する。これにより、ログインしていない（ＭＦＰ会員でない）第三者がＭＦＰ１０を利用することを防止できる。自動的なログアウトとして、例えば操作が検出されなくなってから所定時間が経過するとログアウトする仕組みがある。しかし、ＭＦＰ会員がログアウトボタン４８９によりログアウトを実行せずに立ち去ると、所定時間までは他人が利用可能になる。本実施形態ではこのような不都合を抑制できる。
【０１３５】
［ＭＦＰの検索］
ＭＦＰ会員が自宅周辺や勤務先周辺、又は、外出先でＭＦＰ１０を使用したい場合、ＭＦＰ会員はＭＦＰ１０を検索することができる。
【０１３６】
図１６は、ＭＦＰ１０の検索方法を説明するための図の一例である。ＭＦＰ会員は携帯端末２０（又はＰＣ４０でもよい）へ会員制ＭＦＰ管理アプリケーション７０をインストールする。これを起動すると図１６（ａ）に示すメニュー画面４０５１が表示される。メニュー画面４０５１には、会員登録ボタン４９１、ＭＦＰ検索ボタン４９２、書庫印刷ボタン４９３、書庫登録ボタン４９４、課金詳細ボタン４９５、属性修正ボタン４９６及び閉じるボタン４９７が表示されている。
【０１３７】
会員登録ボタン４９１は、図１１にて説明した会員登録するためのボタンである。ＭＦＰ検索ボタン４９２は任意の地域のＭＦＰ１０を検索するためのボタンである。書庫印刷ボタン４９３は、会員書庫サーバー３４に記憶されている書庫（ファイルデータ）を印刷するためのボタンである。書庫登録ボタン４９４は、会員書庫サーバー３４に書庫を登録するためのボタンである。課金詳細ボタン４９５は、ＭＦＰ会員又はＭＦＰ１０の課金情報を照会するためのボタンである。属性修正ボタン４９６は、ＭＦＰ会員の会員情報を修正するためのボタンである。
【０１３８】
なお、アプリ形式でなく、会員制ＭＦＰ管理アプリケーション７０はＷｅｂページとして提供されてもよい。
【０１３９】
ＭＦＰ会員はＭＦＰ検索ボタン４９２を選択する。これにより、図１６（ｂ）のＭＦＰ検索画面４０５２が表示される。
【０１４０】
ＭＦＰ検索画面４０５２は、都道府県選択欄５０１、市町村選択欄５０２、閉じるボタン５０３及び検索ボタン５０４を有している。ＭＦＰ会員は都道府県選択欄５０１から都道府県を、市町村選択欄５０２から市町村をそれぞれ選択する。都道府県、市町村は指定地域の一例である。
【０１４１】
ＭＦＰ会員が検索ボタン５０４を押下すると、図１６（ｃ）の地図画面４０５３が表示される。すなわち、選択された都道府県と市町村がＭＦＰ管理サーバー３０に送信されるので、ＭＦＰ情報管理手段５３が都道府県と市町村と同じ設置地域コードのＭＦＰ１０のＭＦＰ情報を読み出し、携帯端末２０に送信する。
【０１４２】
地図画面４０５３には、選択された地域の地図５０５が表示され、印刷システム１のＭＦＰ１０が存在する地点に▼マーク５０９が表示される。ＭＦＰ情報には建物名称、建物緯度及び建物経度が含まれているので、地図上のＭＦＰ１０を▼マーク５０９で表示できる。
【０１４３】
ＭＦＰ会員が、詳細を確認したい場所の▼マーク５０９を押下すると◆マーク５１０に変わる。会員制ＭＦＰ管理アプリケーション７０の地図表示手段７３は、押下されたＭＦＰ情報５０６をディスプレイ２１８の下部に表示する。なお、この時に、ＭＦＰ管理サーバー３０からＭＦＰ情報を取得してもよい。
【０１４４】
ディスプレイ２１８には、ＭＦＰ番号、場所、建物、環境、及び、オプションが表示されている。これらにより、ＭＦＰ会員は選択したＭＦＰ１０を使用するか否かを判断できる。◆マーク５１０のＭＦＰ１０を使用する場合、ＭＦＰ会員は印刷ボタン５０８を押下する。また、別のＭＦＰ１０を選択する場合は▼マーク５０９を押下し、印刷しない場合は、閉じるボタン５０７を押下する。印刷ボタン５０８を押下した場合、次述する書庫印刷ログイン画面４０６１が表示される。
【０１４５】
駅の近辺にはＭＦＰが設置されたコンビニが存在するが、本実施形態のＭＦＰの利用にはＭＦＰ会員が会員になっているＭＦＰ（コンビニ）を検索する必要がある。本実施形態ではこのように容易にＭＦＰを探すことができる。
【０１４６】
＜書庫印刷＞
図１７は、書庫印刷ログイン画面４０６１の一例を示す図である。書庫印刷とは、携帯端末２０が会員書庫サーバー３４に記憶されているファイルデータをＭＦＰ１０に印刷させることである。
【０１４７】
図１７（ａ）の書庫印刷ログイン画面４０６１は、上記のように図１６（ｃ）の地図画面４０５３で印刷ボタン５０８が押下されと表示される。また、会員制ＭＦＰ管理アプリケーション７０のメニュー表示手段７１が表示する図１６（ａ）のメニュー画面４０５１で書庫印刷ボタン４９３が押下されると表示される。
【０１４８】
書庫印刷ログイン画面４０６１は、会員番号入力欄５２１、パスワード入力欄５２２、閉じるボタン５２３、及び、ログインボタン５２４を有している。会員番号とパスワードは、図１３（ｂ）のレジストリ等に保存されているドライバ初期情報から読み取られる。また、ＭＦＰ会員が会員番号とパスワードを入力してもよい。ＭＦＰ会員がログインボタン５２４を押下すると、認証要求と共に会員番号とパスワードがネットワーク３８を介して会員管理サーバー３１へ送信される。
【０１４９】
携帯端末２０が認証成立を受信した場合、会員制ＭＦＰ管理アプリケーション７０のＭＦＰ検索要求手段７２は図１７（ｂ）の印刷ＭＦＰ画面４０６２を表示する。印刷ＭＦＰ画面４０６２は、ＭＦＰ番号欄５２６、ＭＦＰ検索ボタン５２７、図１６（ｃ）のＭＦＰ情報５２８、閉じるボタン５２９及び確定ボタン５３０を有している。この印刷ＭＦＰ画面４０６２は、ＭＦＰ検索ボタン５２７でＭＦＰ１０が検索された後に表示されたため、このように検索されたＭＦＰ情報５２８が表示されるが、書庫印刷ボタン４９３を選択して表示された場合、ＭＦＰ情報５２８は表示されない場合がある。
【０１５０】
ＭＦＰ会員がＭＦＰ検索ボタン５２７を押下すると、図１６（ｂ）のＭＦＰ検索画面４０５２が表示される。
【０１５１】
ＭＦＰ会員が確定ボタン５３０を押下すると、会員制ＭＦＰ管理アプリケーション７０のファイル一覧要求手段７５は会員書庫サーバー３４にファイル一覧の要求と会員番号を送信する。会員書庫サーバー３４はファイル記憶手段５２から会員番号に対応づけられているファイルの一覧を読み出し携帯端末２０に送信する。携帯端末２０はファイル一覧を取得してファイル一覧画面を４０６３表示する。
【０１５２】
図１７（ｃ）はファイル一覧画面４０６３の一例を示す。ファイル一覧画面４０６３には、ファイルのファイル名とアイコン５３１、ログアウトボタン５３２、及び、印刷ボタン５３３が表示される。ＭＦＰ会員がファイルを選択し、印刷ボタン５３３を押下すると、会員制ＭＦＰ管理アプリケーション７０の印刷要求手段７６は図１７（ｂ）のＭＦＰ１０に対し印刷指示を送信する。印刷指示は、会員番号、ファイルパス名、ファイル名など会員とファイルを特定する情報である。また、送信先のＭＦＰ１０のＩＰアドレスはＭＦＰ情報から取得されている。
ＭＦＰ１０は印刷指示されたファイルを会員書庫サーバー３４から取得して印刷する。ＭＦＰ１０は印刷物をセキュア排紙トレイ３６ヘ保存し、取り出し口を施錠し、携帯端末２０の（会員情報の）メールアドレスへ印刷完了メールアドレスを送信する。
【０１５３】
＜電子メールによる通知＞
ＭＦＰ１０の電子メール通知手段１３は印刷指示を送信した携帯端末２０へ印刷完了の電子メールを送信する。また、ＭＦＰ１０の状態を監視して、管理者に電子メールを送信する。以下、管理者が有する携帯端末２０を図では管理者携帯端末として記載した。
【０１５４】
図１８は、電子メールが送信されるいくつかの状況を説明する図の一例である。
Ｉ．印刷が完了すると、電子メール通知手段１３は会員管理サーバー３１から会員情報に対応づけられらメールアドレスを読み出し、該メールアドレスへ「印刷完了メール」を送信する。これにより、ＭＦＰ会員は印刷がいつ完了したか分かるので、完了前に取りに行って待つことがなくなる。また、セキュア排紙トレイにより安全性も保たれている。
【０１５５】
II．また、ＭＦＰ１０の操作パネル１０１０にヘルプボタン５３５が表示されている。ヘルプボタン５３５は、不具合や使い方を問い合わせる際に押下されるボタンである。ＭＦＰ１０はヘルプボタン５３５が押下されると、管理情報に登録されているメールアドレスへ「ヘルプ電子メール」を送信する。
【０１５６】
III．また、ＭＦＰ１０は用残枚数、トナー残量を監視している。電子メール通知手段１３はこれら消耗品が予め定められた値以下になった時、管理情報に登録されているメールアドレスへ「サプライ補給メール」を送信する。
【０１５７】
例えば、マンションにＭＦＰを設置した場合、一人一人の印刷枚数，コピー枚数は少なくても多くの住民がいるため採算に見合う可能性が高い。この場合、ロビー，廊下等の公共の場に設置することが好ましく、管理が必要となる。本実施形態では、「サプライ補給メール」が管理者携帯端末に届くので、マンション管理人の管理作業を低減できる。
【０１５８】
IV．また、ＭＦＰ１０はセキュア排紙トレイ３６への保管が完了した時点から時間の計測を開始する。そして、取り出されないまま一定以上の時間が経過した場合、電子メール通知手段１３は管理情報に登録されているメールアドレスへ「排紙放棄メール」を送信する。
【０１５９】
印刷完了後、ＭＦＰ会員が長時間経過しても取りに行かないとセキュア排紙トレイに空きがなくなり、次の印刷ができない状態になり、ＭＦＰの稼働率を下げることになる。本実施形態では、「排紙放棄メール」を送信することで待ち時間を最小化することができる。
【０１６０】
なお、「排紙放棄メール」の送信前に、会員情報のメールアドレスに督促のメールを送信してもよい。
【０１６１】
V．Iと同様に携帯端末２０からの印刷指示による印刷が完了した時、電子メール通知手段１３は携帯端末２０へ「印刷完了メール」を送信する。
【０１６２】
［履歴情報、課金情報］
図１９は、ＭＦＰ１０の利用履歴に基づく履歴情報と課金情報の作成について説明する図の一例である。
Ｉ．ＭＦＰ１０は、ＭＦＰ会員が印刷、コピー、ＦＡＸ等によりＭＦＰ１０が提供する機能を利用する際、会員管理サーバー３１から当該会員の会員情報を取得する。
【０１６３】
II．ＭＦＰ１０はＭＦＰ情報をＲＡＭ１００２やＨＤＤ１０４０に記憶しているので、ＭＦＰ情報を読み出し、ＭＦＰ会員が利用した機能に応じて利用コードを特定する。利用コードも、ＲＡＭ１００２やＨＤＤ１０４０に記憶されている。例えば、「コピー」の利用コードは１、「印刷」の利用コードは２、「ＦＡＸ」の利用コードは３、である。
【０１６４】
III．履歴情報作成手段１８は、会員情報、利用コード、及び、ＭＦＰ情報に基づき履歴情報を作成し、履歴管理サーバー３２へ送信する。すなわち、履歴情報には、会員情報の「会員番号、年齢、性別、趣味コード、職業コード、興味コード」、ＭＦＰ情報の「ＭＦＰ番号、設置地域コード、設置環境コード」が含まれ、さらに利用年月日、利用時刻、及び、利用コードが含まれる。履歴情報により、ＭＦＰ会員に適した広告などを提供できる。
【０１６５】
IV．また、課金情報作成手段１９は、会員情報、ＭＦＰ情報、及び、利用内容に基づき課金情報を作成し、課金管理サーバー３３へ送信する。利用内容とは、利用コードの他、オプション利用情報、利用枚数などである。すなわち、履歴情報には、会員情報の「会員番号」、ＭＦＰ情報の「ＭＦＰ番号」が含まれ、さらに利用年月日、利用時刻、利用コード、オプション利用情報、及び、利用枚数が含まれる。課金情報によりＭＦＰ会員に課金し、ＭＦＰ１０に配当金を配当することができる。
【０１６６】
［動作手順］
以下、印刷システム１の利用場面毎に印刷システム１の動作手順について説明する。
【０１６７】
＜ＭＦＰ利用＞
図２０は、ＭＦＰ会員がＭＦＰ１０を利用する際の印刷システム１の動作手順を説明する図の一例である。図２０の動作手順は、会員カード３７を所持するＭＦＰ会員がＭＦＰ１０に接近し図１４（ｂ）のパスワード入力画面４０４２が表示された状態からスタートする。
S1：ＭＦＰ会員は、ＭＦＰ機能を利用する時、操作パネル１０１０のパスワード入力画面４０４２からパスワードを入力する。
S2：ＭＦＰの照合要求手段４２は会員カード３７から取得した会員番号、及び、入力されたパスワードを会員管理サーバー３１へ送信する。
S3：会員管理サーバー３１の会員情報管理手段６５はＭＦＰ会員を認証する。
S4：会員情報管理手段６５は、認証結果と認証されたＭＦＰ会員の会員情報を送信する。
S5：図１４（ｃ）のＭＦＰメニュー画面４０４３が表示され、ＭＦＰ会員はコピーボタン４８５又はＦＡＸボタン４８６を押下する。
S6：ＭＦＰ機能実行手段１７はコピー、ＦＡＸ等、ＭＦＰ１０が提供する機能を実行する。履歴情報作成手段１８はコピー、ＦＡＸ等、ＭＦＰ１０が提供する機能の完了毎に履歴情報を作成する。課金情報作成手段１９はコピー、ＦＡＸ等、ＭＦＰ１０が提供する機能の完了毎に課金情報を作成する。
S7：履歴情報作成手段１８は履歴情報を履歴管理サーバー３２へ送信する。
S8：履歴管理サーバー３２の履歴情報管理手段５５は、履歴情報を履歴情報記憶手段５６に記憶する。
S9：課金情報作成手段１９は課金情報を課金管理サーバー３３に送信する。
S10：課金管理サーバー３３は課金情報記憶手段６４に課金情報を記憶する。
【０１６８】
次に、印刷機能が利用される場合を説明する。ここではＰＣ４０から印刷依頼する手順を説明する。ＭＦＰ会員は、ＰＣ４０を操作して印刷対象の文書を表示しプリンタドライバから印刷を指示する。予めＭＦＰ１０は検索されており、ＭＦＰ情報に含まれるＩＰアドレスなどは取得されている。なお、図１４（ｃ）の印刷ボタン４８７を押下しても印刷可能である。
S11：ＭＦＰ会員はＰＣ４０からプリンタドライバを介して印刷依頼する。プリンタドライバは指定された文書（画像）のＰＤＬデータを作成し、レジストリ等に保存されているドライバ初期情報から会員番号とパスワードを取得して、ＰＤＬと供にＭＦＰ１０へ送信する。
S12：ＭＦＰのＭＦＰ機能実行手段１７は取得した会員番号及びパスワードを会員管理サーバー３１へ送信する。
S13：会員管理サーバー３１の会員情報管理手段６５はＭＦＰ会員を認証する。
S14：会員情報管理手段６５は、認証結果と認証されたＭＦＰ会員の会員情報を送信する。
S15：認証が成立した場合、ＭＦＰ１０の印刷手段１６はＰＤＬデータを解釈し画像データを作成して印刷する。
S16：ＭＦＰ１０は印刷物をセキュア排紙トレイ３６ヘ排紙して施錠する。
S17：ＭＦＰ１０の電子メール通知手段１３は「印刷完了メール」を作成し、会員情報に設定されているメールアドレスへ電子メールを送信する。
S18〜S21：S7〜S10と同様に履歴情報・課金情報が蓄積される。
【０１６９】
不特定多数のＭＦＰ課員がＭＦＰを利用する場合、ＰＣ４０や携帯端末２０から印刷指示すると、本人が到着する前に他人に見られ秘密が漏れる可能性がある。このため、印刷指示者がＭＦＰの操作パネルから印刷指示して印刷を開始することが行われているが、印刷完了までの待ち時間は時間の無駄となる。本実施形態では、セキュア排紙トレイ３６に排紙することで、無駄な時間を減らし秘密が漏洩しにくい印刷が可能となる。
【０１７０】
次に、トレイオープン機能が利用される場合を説明する。ＭＦＰ会員は、会員カード３７を携帯してＭＦＰ１０に接近する。これにより、図１４（ｂ）のパスワード入力画面４０４２が表示される。
S31：ＭＦＰ会員は操作パネル１０１０からパスワードを入力し、ＭＦＰ１０へログインする。
S32：ＭＦＰ１０の照合要求手段４２は会員カード３７から取得した会員番号、及び、入力されたパスワードを会員管理サーバー３１へ送信する。
S33：会員管理サーバー３１の会員情報管理手段６５はＭＦＰ会員を認証する。
S34：会員情報管理手段６５は、認証結果と認証されたＭＦＰ会員の会員情報を送信する。
S35：図１４（ｃ）のＭＦＰメニュー画面４０４３が表示され、ＭＦＰ会員はトレイオープンボタン４８８を押下する。
S36：ＭＦＰ１０はセキュア排紙トレイ３６の施錠を解除し、セキュア排紙トレイ３６を開放する。
【０１７１】
次に、課金の手順について説明する。課金管理サーバー３３は予め定められた期間毎に以下の処理を行う。
S41：配当金決済手段６２は、ＭＦＰ管理サーバー３０にＭＦＰ情報を要求する。ここでは、口座番号とＭＦＰ番号を要求する。
S42：配当金決済手段６２はＭＦＰ情報を取得する。
S43：配当金決済手段６２は課金情報記憶手段６４に記憶されているＭＦＰ番号が同じ課金情報を読み出す。そして上記期間の課金総額を算出する。１つの課金情報の課金額は利用コードで決まる単価に利用枚数を乗じて算出でき、これにオプション利用情報が考慮されて決定される。課金総額は、１つのＭＦＰ１０の課金額の合計である。そして、配当率に応じて配当金を算出する。配当金決済手段６２はＭＦＰ情報の口座番号に配当金を振り込むことで決済する。
S44：次に、会員課金決済手段６３は会員管理サーバー３１から会員情報を要求する。ここでは、会員番号、決済方法、及び、カード／口座番号を取得する。
S45：会員課金決済手段６３は会員管理サーバー３１から会員情報を取得する。
S46：会員課金決済手段６３は、課金情報記憶手段６４に記憶されている課金情報を会員毎に読み出し、予め決められた期間の課金額を算出する。１つの課金情報の課金額は配当金の場合と同様に算出される。課金総額は、同じ会員番号の課金額の合計である。そして、会員課金決済手段６３は会員情報の決済方法に従ってカード／口座番号から課金総額を引き落とすことで決済する。
【０１７２】
＜携帯端末利用＞
図２１は、ＭＦＰ会員が携帯端末２０を操作して利用する印刷システム１の動作手順を説明する図の一例である。まず、検索について説明する。
S1：ＭＦＰ会員は、携帯端末２０を操作して会員制ＭＦＰ管理アプリケーション７０を起動して、メニュー表示手段７１が図１６（ａ）のメニュー画面４０５１を表示する。ＭＦＰ会員はＭＦＰ検索ボタン４９２を選択する。
S2：会員制ＭＦＰ管理アプリケーション７０のメニュー表示手段７１はＭＦＰ検索ボタン４９２の選択を受け付け、図１６（ｂ）のＭＦＰ検索画面４０５２を表示する。ＭＦＰ会員は都道府県と市町村を入力する。
S3：ＭＦＰ会員が検索ボタン５０４を押下することで、会員制ＭＦＰ管理アプリケーション７０のＭＦＰ検索要求手段７２は、入力された都道府県と市町村をＭＦＰ管理サーバー３０へ送信する。
S4：ＭＦＰ管理サーバー３０のＭＦＰ情報管理手段５３は都道府県と市町村に位置するＭＦＰ１０を検索する。
S5：ＭＦＰ管理サーバー３０は検索に適合したＭＦＰ情報の一覧を送信する。
S6：会員制ＭＦＰ管理アプリケーション７０の地図表示手段７３は、入力された都道府県と市町村の地図５０５を表示し、ＭＦＰ管理サーバー３０から取得したＭＦＰ情報の緯度、経度から地図上の位置を算出し、地図上へＭＦＰ１０を示す記号（▼マーク）を表示する。
【０１７３】
次に、携帯端末２０を利用した書庫の登録について説明する。
S7：ＭＦＰ会員は、携帯端末２０を操作して会員制ＭＦＰ管理アプリケーション７０を起動して、図１６（ａ）のメニュー画面４０５１を表示する。ＭＦＰ会員は書庫登録ボタン４９４を選択する。
S8：会員制ＭＦＰ管理アプリケーション７０のメニュー表示手段７１は書庫登録ボタン４９４の選択を受け付け、書庫印刷ログイン画面４０６１を表示する。ＭＦＰ会員は会員番号とパスワードを入力する。
S9：会員制ＭＦＰ管理アプリケーション７０のログイン手段７４は、レジストリに記憶されているか又は入力された会員番号とパスワードを会員管理サーバー３１へ送信する。
S10：会員管理サーバー３１の会員情報管理手段６５は、ＭＦＰ会員を認証する。
S11：会員情報管理手段６５は、認証結果と認証されたＭＦＰ会員の会員情報を送信する。
S12：会員制ＭＦＰ管理アプリケーション７０は、携帯端末２０のフラッシュＲＯＭ２０４に記憶されているファイル一覧を表示する。ＭＦＰ会員は１つ以上のファイルを選択する。
S13：会員制ＭＦＰ管理アプリケーション７０はファイル一覧で選択されたファイルのファイルデータを登録するための登録データを作成し、会員書庫サーバー３４へ送信する。登録データは、会員番号、パス名、ファイル名、及び、ファイルデータである。
S14：会員書庫サーバー３４の会員書庫管理手段５１は、会員番号の書庫へファイルを登録する。すなわち、ファイル記憶手段５２の会員番号に対応づけられたフォルダにファイルデータを保存し、パス名/ファイル名をファイル記憶手段５２に登録する。
【０１７４】
次に、携帯端末２０を利用した書庫印刷について説明する。
S15：ＭＦＰ会員は、携帯端末２０を操作して会員制ＭＦＰ管理アプリケーション７０を起動して、図１６（ａ）のメニュー画面４０５１を表示する。ＭＦＰ会員は書庫印刷ボタン４９３を選択する。
S16：会員制ＭＦＰ管理アプリケーション７０のメニュー表示手段７１は書庫印刷ボタン４９３の選択を受け付け、図１７（ａ）の書庫印刷ログイン画面４０６１を表示する。
S17：会員制ＭＦＰ管理アプリケーション７０のログイン手段７４は、レジストリに記憶されている又は入力された会員番号とパスワードを会員管理サーバー３１へ送信する。
S18：会員管理サーバー３１の会員情報管理手段６５は、ＭＦＰ会員を認証する。
S19：会員情報管理手段６５は、認証結果と認証されたＭＦＰ会員の会員情報を送信する。
S20：認証が成功すると、会員制ＭＦＰ管理アプリケーション７０のＭＦＰ検索要求手段７２は図１７（ｂ）の印刷ＭＦＰ画面４０６２を表示する。これにより、ＭＦＰ会員は利用するＭＦＰ１０を選択できる。
S21：ＭＦＰ会員が確定ボタン５３０を押下すると、会員制ＭＦＰ管理アプリケーション７０のファイル一覧要求手段７５は会員番号を検索キーとして書庫検索を会員書庫サーバー３４へ依頼する。
S22：会員書庫サーバー３４の会員書庫管理手段５１は、会員番号でファイル記憶手段５２を検索し、書庫一覧を作成する。
S23：会員書庫サーバー３４は書庫一覧を携帯端末２０に送信する。書庫一覧には、パス名とファイル名が含まれる。
S24：会員制ＭＦＰ管理アプリケーション７０のファイル一覧要求手段７５は書庫一覧を取得して図１７（ｃ）のファイル一覧画面４０６３を表示する。ＭＦＰ会員は書庫一覧から１つ以上のファイルを選択する。
S25：会員制ＭＦＰ管理アプリケーション７０の印刷要求手段７６は選択されたファイルの印刷指示を印刷先のＭＦＰ１０へ送信する。印刷指示には会員情報、パス名、及び、ファイル名が含まれる。
S26：ＭＦＰ１０は会員書庫サーバー３４へ、会員情報、パス名、及び、ファイル名を指定してファイルデータのダウンロードを要求する。パス名、及び、ファイル名は印刷データ識別情報の一例である。
S27：会員書庫サーバー３４の会員書庫管理手段５１はファイル記憶手段５２からファイルデータを取得する。
S28：会員書庫サーバー３４はファイルデータをＭＦＰ１０へ送信する。
S29：ＭＦＰ１０のＰＤＬ変換手段１１はファイルデータを解釈してＰＤＬデータを作成する。
S30：ＭＦＰ１０の印刷手段１６はＰＤＬデータを解釈して印刷処理を実行する。この後、履歴情報と課金情報が作成される。
【０１７５】
＜印刷処理＞
続いて、図２２を用いて印刷処理の詳細な手順について説明する。図２２はＭＦＰ１０が行う印刷処理の処理手順を示すフローチャート図の一例を、図２３はＭＦＰ１０が管理する印刷処理制御情報を示す図である。印刷処理制御情報は、図２３（ａ）の印刷入力値、図２３（ｂ）の印刷管理テーブル、図２３（ｃ）の印刷管理情報、及び、図２３（ｄ）の空きトレイ管理テーブルである。これらは、ＭＦＰ１０の例えばＲＡＭ１００２やＨＤＤ１０４０に記憶される。
【０１７６】
印刷入力値は印刷指示により携帯端末２０又はＰＣ４０から入力される。携帯端末２０からの印刷入力値は、会員制ＭＦＰ管理アプリケーション７０により認証が終わっているので、「認証不要、会員番号、印刷データ」となる。ＰＣ４０からの印刷入力値は、Ｗｅｂからの印刷指示であり認証されていないため、「認証要、会員番号、パスワード、印刷データ」が設定される。これらは一例であり、携帯端末２０で認証要、ＰＣ４０で認証不要となる場合も有りうる。
【０１７７】
印刷管理テーブルは、１つの印刷指示により１つ作成される印刷管理情報が、印刷指示の数、登録されたテーブルである。「ログイン（０：無 １：有）」は、ＭＦＰ１０がログインすると（１：有）になり、ログアウトで（０：無）になる。
【０１７８】
印刷管理情報は、「印刷（０：未 １：完）」、「会員番号」、「セキュアトレイ番号」、「印刷データ」を有する。「印刷（０：未 １：完）」は、印刷指示の印刷が完了したか否かを示す。「セキュアトレイ番号」はセキュア排紙トレイ３６を一意に識別する番号である。
【０１７９】
空きトレイ管理テーブルは、セキュア排紙トレイ３６のうち空いているセキュア排紙トレイ３６の数とセキュア排紙トレイ３６の番号が登録されたテーブルである。ＭＦＰ１０は空きトレイ管理テーブルにより空いているセキュア排紙トレイ３６を確保して印刷管理情報に設定する。また、確保されたセキュア排紙トレイ３６を空きトレイ管理テーブルから消去する。
【０１８０】
図２１の手順は、例えば、ＭＦＰ１０の電源がＯＮになるとスタートする。
ＭＦＰ１０のＭＦＰ機能実行手段１７は、印刷管理テーブルの「印刷管理数」に初期値として「０（ゼロ）」）を設定する（Ｓ１−１）。
【０１８１】
ＭＦＰ機能実行手段１７は、印刷指示の入力がある否かを監視する（Ｓ１−２）。
【０１８２】
印刷指示の入力がある場合（Ｓ１−２のＹｅｓ）、ＭＦＰ機能実行手段１７は印刷入力値に基づき認証要か否かを判定する（Ｓ１−３）。認証が不要な場合（Ｓ１−３のＮｏ）、携帯端末２０からの印刷指示なので処理はステップＳ１−６に進む。
【０１８３】
認証要の場合（Ｓ１−３のＹｅｓ）、ＰＣ４０からの印刷指示なので、ＭＦＰ機能実行手段１７は、会員認証を行うか否かを判定する（Ｓ１−４）。会員認証とは、会員番号とパスワードを会員管理サーバー３１へ送信して行う認証である。認証が成立しない場合（Ｓ１−４のＮｏ）、処理はステップＳ１−１１に進み、Ｓ１−１１でもログインしていないと判定されるため図２２の処理は終了する。
【０１８４】
会員認証が成立した場合（Ｓ１−４のＹｅｓ）、ＭＦＰ機能実行手段１７は認証時に会員管理サーバー３１から取得した会員情報を印刷入力値へ設定する（Ｓ１−５）。
【０１８５】
次に、ＭＦＰ機能実行手段１７は印刷管理テーブルの印刷管理情報を１ブロック取得する（Ｓ１−６）。印刷管理情報は印刷管理数を有しているので、印刷管理数より１つ多い順番の印刷管理情報を取得する。
【０１８６】
ＭＦＰ機能実行手段１７は、印刷管理情報の「印刷（０：未 １：完）」を「１：未」に設定する（Ｓ１−７）。
【０１８７】
ＭＦＰ機能実行手段１７は、印刷管理情報の会員番号に印刷入力値の会員番号を設定する（Ｓ１−８）。
【０１８８】
ＭＦＰ機能実行手段１７は、印刷管理情報の印刷データに印刷入力値の印刷データを設定する（Ｓ１−９）。
【０１８９】
ＭＦＰ機能実行手段１７は、印刷管理数を１つ増加する（Ｓ１−１０）。
【０１９０】
次に、ＭＦＰ機能実行手段１７は、ログイン有り否かを判定する（Ｓ１−１１）。ログインしている場合（Ｓ１−１１のＹｅｓ）、図２２の処理は終了する。これは本実施形態では印刷が自動的に行われることが好ましいため、ＭＦＰがすでに利用されている場合（ログインありの場合）、印刷を実行しないためである。
【０１９１】
ログインしていない場合（Ｓ１−１１のＮｏ）、ＭＦＰ機能実行手段１７は、空きトレイ管理テーブルを参照して印刷紙を保管するセキュア排紙トレイ３６に空きがあるか否かを判定する（Ｓ１−１２）。セキュア排紙トレイ３６に空きがない場合（Ｓ１−１２のＮｏ）、図２２の処理は終了する。
【０１９２】
セキュア排紙トレイ３６に空きがある場合（Ｓ１−１２のＹｅｓ）、ＭＦＰ機能実行手段１７は、印刷管理テーブルを参照して印刷「未」データがあるか否かを判定する（Ｓ１−１３）。印刷「未」データがない場合（Ｓ１−１３のＮｏ）、図２２の処理は終了する。
【０１９３】
印刷「未」データがある場合（Ｓ１−１３のＹｅｓ）、ＭＦＰ機能実行手段１７は空きセキュア排紙トレイ番号を取得する（Ｓ１−１４）。
【０１９４】
空きトレイ管理テーブルの「空きトレイ数」を１減算して更新する（Ｓ１−１５）。
【０１９５】
ＭＦＰ機能実行手段１７はＰＤＬ変換手段１１でＰＤＬ（印刷データ）を作成し、ＰＤＬデータから画像データを作成して印刷する（Ｓ１−１６）。
【０１９６】
ＭＦＰ機能実行手段１７は印刷物を空きセキュア排紙トレイ番号のセキュア排紙トレイ３６へ排紙して、施錠する（Ｓ１−１７）。
【０１９７】
ＭＦＰ機能実行手段１７は印刷管理情報の「印刷」を「１：完了」に設定する（Ｓ１−１８）。
【０１９８】
ＭＦＰ機能実行手段１７は、印刷管理情報へ排紙したセキュアトレイ番号を設定する（Ｓ１−１９）。
【０１９９】
電子メール通知手段１３は「印刷完了メール」を作成し、会員情報に設定されているメールアドレスへ電子メールを送信する（Ｓ１−２０）。
【０２００】
履歴情報作成手段１８は履歴情報を作成し、履歴管理サーバー３２へ送信する（Ｓ１−２１）。
【０２０１】
課金情報作成手段１９は課金情報を作成し、課金管理サーバー３３へ送信する（Ｓ１−２２）。
【０２０２】
以上のようにして、ＭＦＰ１０は印刷処理を実行できる。なお、図２２の手順は一例であり、印刷処理手順は図示した手順に限られるものではない。
【０２０３】
＜ＭＦＰの操作に対する処理フロー＞
図２４、２５は、ＭＦＰ会員がＭＦＰ１０を操作する際の手順を示すフローチャート図の一例である。図２４、２５の手順は例えばＭＦＰ１０の電源がＯＮになるとスタートする。
【０２０４】
ＭＦＰ機能実行手段１７は、印刷管理テーブルに「ログイン ０：無」を設定する（Ｓ２−１）。
【０２０５】
ＭＦＰ操作手段１４は図１４（ａ）のようなＭＦＰ１０の初期画面４０４１を表示する（Ｓ２−２）。
【０２０６】
ＭＦＰ１０の検知手段４１は、会員カード３７を検知したか否かを判定する（Ｓ２−３）。会員カード３７を検知しない場合（Ｓ２−３のＮｏ）、初期画面４０４１が表示されたままである。
【０２０７】
会員カード３７を検知した場合（Ｓ２−３のＹｅｓ）、検知手段４１は会員カード３７から会員番号と名前を取得する（Ｓ２−４）。
【０２０８】
ＭＦＰ操作手段１４は会員名称と共に図１４（ｂ）のパスワード入力画面４０４２を表示する（Ｓ２−５）。
【０２０９】
ＭＦＰ操作手段１４はパスワードの入力を受け付ける（Ｓ２−６）。
【０２１０】
照合要求手段４２は、会員番号とパスワードを会員管理サーバー３１へ送信することで、ＭＦＰ会員を認証する（Ｓ２−７）。認証が成立した場合（Ｓ２−７のＹｅｓ）、会員情報を取得して、処理はステップＳ２−１０に進む。
【０２１１】
認証が成立しない場合（Ｓ２−７のＮｏ）、ＭＦＰ操作手段１４は非認証画面を表示する（Ｓ２−８）。すなわち、認証できなかった旨を表示する。
【０２１２】
検知手段４１は会員カード３７の非検知を監視する（Ｓ２−９）。すなわち、会員カード３７が検知されなくなると（Ｓ２−９のＹｅｓ）、ＭＦＰ操作手段１４は非認証画面を終了し初期画面４０４１を表示する。
【０２１３】
ステップＳ２−７において認証が成立した場合、ＭＦＰ機能実行手段１７は、印刷管理テーブルに「ログイン １：有り」を設定する（Ｓ２−１０）。
【０２１４】
ＭＦＰ操作手段１４は図１４（ｃ）のＭＦＰメニュー画面４０４３を表示する（Ｓ２−１１）。
【０２１５】
そして、印刷管理テーブルに会員管理サーバー３１から取得した会員番号の印刷物がセキュア排紙トレイ３６にあるか否かを検索する（Ｓ２−１２）。
【０２１６】
セキュア排紙トレイ３６にある場合（Ｓ２−１２のＹｅｓ）、ＭＦＰ操作手段１４はＭＦＰメニューへトレイオープンボタン４８８を追加する（Ｓ２−１３）。
【０２１７】
検知手段４１は会員カード３７が非検知となったか否かを判定する（Ｓ２−１４）。会員カード３７が非検知となった場合（Ｓ２−１４のＹｅｓ）、図２４、２５の処理は終了する。
【０２１８】
会員カード３７が非検知となっていない場合（Ｓ２−１４のＮｏ）、ＭＦＰ操作手段１４は操作パネル１０１０から入力があったか否かを判定する（Ｓ２−１５）。
【０２１９】
入力があった場合（Ｓ２−１５のＹｅｓ）、ログアウトボタン４８９の入力か否かを判定する（Ｓ２−１６）。
【０２２０】
ログアウトボタン４８９の入力の場合（Ｓ２−１６のＹｅｓ）、図２４、２５の処理は終了する。
【０２２１】
ログアウトボタン４８９の入力でない場合（Ｓ２−１６のＮｏ）、ＭＦＰ操作手段１４は機能実行入力か否かを判定する（Ｓ２−１７）。機能実行入力は、コピーボタン４８５、ＦＡＸボタン４８６、又は、印刷ボタン４８７のいずれかである。
【０２２２】
機能実行入力でない場合（Ｓ２−１７のＮｏ）、ＭＦＰ操作手段１４は画面を更新する（Ｓ２−１８）。すなわち、ログアウトボタン４８９、コピーボタン４８５、ＦＡＸボタン４８６、印刷ボタン４８７、又は、トレイオープンボタン４８８のいずれでもない場合、ハードキーなどを含む不図示のソフトキーが入力されたので入力に対応する機能設定入力の画面を表示する。
【０２２３】
機能実行入力の場合（Ｓ２−１７のＹｅｓ）、ＭＦＰ操作手段１４はトレイオープンボタン４８８が押下されたか否かを判定する（Ｓ２−１９）。
【０２２４】
トレイオープンボタン以外が押下された場合（Ｓ２−１９のＮｏ）、ＭＦＰ機能実行手段１７がＭＦＰ機能を実行する（Ｓ２−２０）。例えば、コピー（又はＦＡＸ）ボタンが押下された場合、コピー（ＦＡＸ）に関する画面に切り替わり、ユーザは印刷枚数、オプション項目を設定する。設定が完了したら、「実行」ボタンにより設定内容が開始される。
【０２２５】
履歴情報作成手段１８は、会員情報、ＭＦＰ情報及び利用コードに基づき履歴情報を作成し履歴管理サーバー３２へ送信する（Ｓ２−２１）。
【０２２６】
課金情報作成手段１９は、会員情報、ＭＦＰ情報、及び、利用内容に基づき課金情報を作成し、課金管理サーバー３３へ送信する（Ｓ２−２２）。
【０２２７】
トレイオープンボタン４８８が押下された場合（Ｓ２−１９のＹｅｓ）、ＭＦＰ機能実行手段１７は、ログインしているＭＦＰ会員の会員番号が登録された印刷管理情報に設定されているセキュア排紙トレイ３６の施錠を解除する（Ｓ２−２３）。
【０２２８】
ＭＦＰ機能実行手段１７は、印刷管理テーブルの実行対象の印刷管理情報を開放する（Ｓ２−２４）。すなわち、開放した印刷管理情報の後続ブロックを上に詰め、「印刷管理数」を１つ減算する。また、フラグなどで印刷管理テーブルの印刷管理情報が有効かを判断してもよい。
【０２２９】
ＭＦＰ機能実行手段１７は、空きトレイ管理テーブルの実効対象のセキュア排紙トレイ３６を開放する（Ｓ２−２５）。すなわち、実行対象の空きセキュア排紙トレイ番号を削除し、後続以降の空きセキュア排紙トレイ番号を上に詰め、「空きトレイ数」を１つ減算する。
【０２３０】
以上のようにして、ＭＦＰ会員はＭＦＰ１０を操作して機能を利用できる。なお、図２４，２５の手順は一例であり、印刷処理手順は図示した手順に限られるものではない。
【０２３１】
＜会員課金決済＞
図２６は、課金管理サーバー３３が会員課金を行う手順を示すフローチャート図の一例である。図２７は、会員決済管理テーブルの一例を示す図である。会員決済管理テーブルは、決済処理において使用されるテーブルである。決済の開始前は、決済数が「ゼロ」で会員番号も登録されていない。決済が開始され、一人のＭＦＰ会員（１つの会員番号）の決済が終わる毎に、決済数が１つ増え、該会員番号が登録される。
【０２３２】
図２６の処理は予め定められた期間毎に実行される。
【０２３３】
会員課金決済手段６３は、会員決済管理テーブルの「決済数」に初期値として「０（ゼロ）」を設定する（Ｓ３−１）。
【０２３４】
会員課金決済手段６３は、蓄積されている課金情報の索引を示す「索引番号」の初期値として「０（ゼロ）」を設定する（Ｓ３−２）。課金情報は０番から始まるものとする。
【０２３５】
索引番号に相当する課金情報を課金情報記憶手段６４から取得する（Ｓ３−３）。
【０２３６】
課金情報の「会員番号」が会員決済管理テーブルに存在するか否かを判定する（Ｓ３−４）。
【０２３７】
存在する場合（Ｓ３−４のＹｅｓ）、このＭＦＰ会員の決済は完了しているので、会員課金決済手段６３は索引番号を１加算する（Ｓ３−５）。
【０２３８】
そして、蓄積されている課金情報の全てを決済したか否かを判定する（Ｓ３−６）。すなわち、索引番号よりも課金履歴数が多いか否かを判定する。課金履歴数の方が多い場合、まだ全ての決済が終了していない。
【０２３９】
課金情報の全てを決済していない場合（Ｓ３−６のＹｅｓ）、処理はステップＳ３−３に進み、次の課金情報が読み出される。
【０２４０】
課金情報の全てを決済した場合（Ｓ３−６のＮｏ）、図２６の処理は終了する。
【０２４１】
課金情報の「会員番号」が会員決済管理テーブルに存在しない場合（Ｓ３−４のＮｏ）、会員課金決済手段６３は会員決済管理テーブルへ会員番号を設定する（Ｓ３−７）。この会員番号は決済中会員番号となる。
【０２４２】
会員決済管理テーブルの「決済数」を１つ加算する（Ｓ３−８）。
【０２４３】
会員課金決済手段６３は課金総額の初期値に「０（ゼロ）」を設定する（Ｓ３−９）。
【０２４４】
会員課金決済手段６３は、課金情報の利用コード、オプション利用情報、及び、利用枚数から課金額を算出する（Ｓ３−１０）。
【０２４５】
会員課金決済手段６３は課金額を課金総額へ加算する（Ｓ３−１１）。
【０２４６】
会員課金決済手段６３は索引番号を１つ加算する（Ｓ３−１２）。
【０２４７】
そして、蓄積されている課金情報の全てを決済したか否かを判定する（Ｓ３−１３）。
【０２４８】
蓄積されている課金情報の全てを決済していない場合（Ｓ３−１３のＹｅｓ）、索引番号に相当する課金情報を取得する（Ｓ３−１４）。
【０２４９】
会員課金決済手段６３は取得した課金情報の会員番号が決済中会員番号か否かを判定する（Ｓ３−１５）。
【０２５０】
会員番号が決済中会員番号の場合（Ｓ３−１５のＹｅｓ）、会員課金決済手段６３は課金情報の利用コード、オプション利用情報、及び、利用枚数から課金額を算出する（Ｓ３−１６）。
【０２５１】
そして、算出課金額を課金総額へ加算する（Ｓ３−１７）。すなわち、同じＭＦＰ会員の課金額を合計できる。
【０２５２】
ステップＳ３−１５において、会員番号が決済中会員番号でない場合（Ｓ３−１５のＮｏ）、処理はステップＳ３−１２に進み索引番号が１つ大きくなるので次の課金情報について課金額を算出できる。
【０２５３】
ステップＳ３−１３において、蓄積されている課金情報の全てを決済した場合（Ｓ３−１３のＮｏ）、決済中会員番号の会員情報を会員管理サーバー３１から取得する（Ｓ３−１８）。
【０２５４】
会員管理サーバー３１から取得した会員情報の決済方法により金融機関サーバーへアクセスし、課金総額を決済する（Ｓ３−１９）。
【０２５５】
この後、処理はステップＳ３−２に戻り、決済済みでない会員番号の課金情報を順番に読み出し全ての課金情報について決済される。
【０２５６】
＜配当金決済＞
図２８は、課金管理サーバー３３が配当金決済を行う手順を示すフローチャート図の一例である。図２９は、配当金決済管理テーブルの一例を示す図である。配当金決済管理テーブルは、配当金決済において使用されるテーブルである。決済の開始前は、決済数が「ゼロ」でＭＦＰ番号も登録されていない。決済が開始され、一台のＭＦＰ１０の決済が終わる毎に、決済数が１つ増え、該ＭＦＰ番号が登録される。
【０２５７】
配当金決済手段６２は、配当金決済管理テーブルの「決済数」に初期値として「０（ゼロ）」に設定する（Ｓ４−１）。
【０２５８】
配当金決済手段６２は、蓄積されている課金情報の索引を示す「索引番号」の初期値として「０（ゼロ）」を設定する（Ｓ４−２）。課金情報は０番から始まるものとする。
【０２５９】
索引番号に相当する課金情報を課金情報記憶手段６４から取得する（Ｓ４−３）。
【０２６０】
課金情報の「ＭＦＰ番号」が配当金決済管理テーブルに存在するか否かを判定する（Ｓ４−４）。
【０２６１】
存在する場合（Ｓ４−４のＹｅｓ）、配当金決済手段６２は索引番号を１加算する（Ｓ４−５）。
【０２６２】
そして、蓄積されている課金情報の全てを決済したか否かを判定する（Ｓ４−６）。すなわち、索引番号よりも課金履歴数が多いか否かを判定する。課金履歴数の方が多い場合、まだ全ての決済が終了していない。
【０２６３】
課金情報の全てを決済していない場合（Ｓ４−６のＹｅｓ）、処理はステップＳ４−３に進み、次の課金情報が読み出される。
【０２６４】
課金情報の全てを決済した場合（Ｓ４−６のＮｏ）、図２８の処理は終了する。
【０２６５】
課金情報の「ＭＦＰ番号」が配当金決済管理テーブルに存在しない場合（Ｓ４−４のＮｏ）、配当金決済手段６２は配当金決済管理テーブルへＭＦＰ番号を設定する（Ｓ４−７）。このＭＦＰ番号は決済中ＭＦＰ番号となる。
【０２６６】
配当金決済管理テーブルの「決済数」を１つ加算する（Ｓ４−８）。
【０２６７】
配当金決済手段６２は課金総額の初期値に「０（ゼロ）」を設定する（Ｓ４−９）。
【０２６８】
配当金決済手段６２は、課金情報の利用コード、オプション利用情報、及び、利用枚数から課金額を算出する（Ｓ４−１０）。
【０２６９】
配当金決済手段６２は課金額を課金総額へ加算する（Ｓ４−１１）。
【０２７０】
配当金決済手段６２は索引番号を１つ加算する（Ｓ４−１２）。
【０２７１】
そして、蓄積されている課金情報の全てを決済したか否かを判定する（Ｓ４−１３）。
【０２７２】
蓄積されている課金情報の全てを決済していない場合（Ｓ４−１３のＹｅｓ）、索引番号に相当する課金情報を取得する（Ｓ４−１４）。
【０２７３】
配当金決済手段６２は取得した課金情報のＭＦＰ番号が決済中ＭＦＰ番号か否かを判定する（Ｓ４−１５）。
【０２７４】
ＭＦＰ番号が決済中ＭＦＰ番号の場合（Ｓ４−１５のＹｅｓ）、配当金決済手段６２は課金情報の利用コード、オプション利用情報、及び、利用枚数から課金額を算出する（Ｓ４−１６）。
【０２７５】
そして、算出課金額を課金総額へ加算する（Ｓ４−１７）。すなわち、同じＭＦＰ番号の課金額を合計できる。
【０２７６】
ステップＳ４−１５において、ＭＦＰ番号が決済中会員番号でない場合（Ｓ４−１５のＮｏ）、処理はステップＳ４−１２に進み索引番号が１つ大きくなるので次の課金情報について課金額を算出できる。
【０２７７】
ステップＳ４−１３において、蓄積されている課金情報の全てを決済した場合（Ｓ４−１３のＮｏ）、配当金決済手段６２は、配当金を算出する（Ｓ４−１８）。配当金は課金総額と配当金を乗じた値である。
【０２７８】
配当金決済手段６２は決済中ＭＦＰ番号のＭＦＰ情報をＭＦＰ管理サーバー３０から取得する（Ｓ４−１９）。
【０２７９】
配当金決済手段６２は、ＭＦＰ管理サーバー３０から取得したＭＦＰ情報の口座番号にアクセスし、配当金を振り込む（Ｓ４−２０）。
【０２８０】
以上説明したように、会員情報に各ＭＦＰ会員の決済方法が登録されているので、ＭＦＰ会員は多様な支払い方法でＭＦＰの利用料を支払うことができる。
【符号の説明】
【０２８１】
１０    ＭＦＰ
２０    携帯端末
３０    ＭＦＰ管理サーバー
３１    会員管理サーバー
３２    履歴管理サーバー
３３    課金管理サーバー
３４    会員書庫サーバー
３６    セキュア排紙トレイ
３７    会員カード
４０    ＰＣ
【先行技術文献】
【特許文献】
【０２８２】
【特許文献１】特開平１１−１２０３７０号公報
【図１】
2015139038.tif 000003
【図２】
2015139038.tif 000004
【図３】
2015139038.tif 000005
【図４】
2015139038.tif 000006
【図５】
2015139038.tif 000007
【図６】
2015139038.tif 000008
【図７】
2015139038.tif 000009
【図８】
2015139038.tif 000010
【図９】
2015139038.tif 000011
【図１０】
2015139038.tif 000012
【図１１】
2015139038.tif 000013
【図１２】
2015139038.tif 000014
【図１３】
2015139038.tif 000015
【図１４】
2015139038.tif 000016
【図１５】
2015139038.tif 000017
【図１６】
2015139038.tif 000018
【図１７】
2015139038.tif 000019
【図１８】
2015139038.tif 000020
【図１９】
2015139038.tif 000021
【図２０】
2015139038.tif 000022
【図２１】
2015139038.tif 000023
【図２２】
2015139038.tif 000024
【図２３】
2015139038.tif 000025
【図２４】
2015139038.tif 000026
【図２５】
2015139038.tif 000027
【図２６】
2015139038.tif 000028
【図２７】
2015139038.tif 000029
【図２８】
2015139038.tif 000030
【図２９】
2015139038.tif 000031